(57)【要約】  無線通信システム用の、存在報告領域（ＰＲＡ）の機能性を露出するための方法および装置が開示される。一実施形態によれば、サービス能力露出機能（ＳＣＥＦ）エンティティは、要求サーバから、少なくとも１つのユーザ機器（ＵＥ）に関するＰＲＡの機能性を開始するための第１の要求を受信する。ＰＲＡの機能性は、この少なくとも１つのＵＥが少なくとも１つの関心領域内にあるかどうかを監視するために使用される。ＳＣＥＦエンティティは、モビリティ管理ノードから、ホーム加入者サーバ（ＨＳＳ）またはポリシーおよび課金ルール機能（ＰＣＲＦ）エンティティを介して、この少なくとも１つのＵＥに関する少なくとも１つの監視結果を取得する。ＳＣＥＦエンティティは、少なくとも１つの監視結果を要求サーバに送信する。【選択図】図８
2021513246.tif 000002
【特許請求の範囲】
【請求項１】
サービス能力露出機能（ＳＣＥＦ：Ｓｅｒｖｉｃｅ  Ｃａｐａｂｉｌｉｔｙ  Ｅｘｐｏｓｕｒｅ  Ｆｕｎｃｔｉｏｎ）エンティティにおいて実施される方法であって、
要求サーバから、少なくとも１つのユーザ機器（ＵＥ）に関する存在報告領域（ＰＲＡ）の機能性を開始するための第１の要求を受信すること（８０２）であって、前記ＰＲＡの機能性が、前記少なくとも１つのＵＥが少なくとも１つの関心領域内にあるかどうかを監視するために使用される、第１の要求を受信すること（８０２）と、
モビリティ管理ノードから、ホーム加入者サーバ（ＨＳＳ）またはポリシーおよび課金ルール機能（ＰＣＲＦ）エンティティを介して、前記少なくとも１つのＵＥに関する少なくとも１つの監視結果を取得すること（８０４）と、
前記少なくとも１つの監視結果を前記要求サーバに送信すること（８０６）とを含む方法。
【請求項２】
オペレータポリシーに従って、前記ＨＳＳと前記ＰＣＲＦエンティティのどちらを介して前記少なくとも１つの監視結果を取得するべきかを判定すること（１００４、１１０４）をさらに含む、請求項１に記載の方法。
【請求項３】
前記ＨＳＳを介して前記少なくとも１つの監視結果を取得すること（８０４）が、
前記ＨＳＳに、前記少なくとも１つのＵＥに関するＰＲＡの機能性を開始するための第２の要求を送信すること（２０６）と、
前記ＨＳＳから第１の監視結果を受信すること（２２２）とを含む、請求項１または２に記載の方法。
【請求項４】
前記ＨＳＳを介して前記少なくとも１つの監視結果を取得すること（８０４）が、
前記少なくとも１つの関心領域に対する前記少なくとも１つのＵＥの存在状態が変化したとき、前記モビリティ管理ノードから更新された監視結果を受信すること（２３０）をさらに含む、請求項３に記載の方法。
【請求項５】
前記第１の要求が、ＰＲＡにセットされた監視タイプおよび前記少なくとも１つの関心領域に関する第１の情報にセットされたＰＲＡ情報を有する監視要求メッセージであり、
前記第２の要求が、ＰＲＡにセットされた監視タイプおよび前記少なくとも１つの関心領域に関する第２の情報にセットされたＰＲＡ情報を有する監視要求メッセージであり、
前記第１の監視結果が、前記第１の監視結果にセットされたＰＲＡ状態を有する監視応答メッセージで受信および送信され、
前記更新された監視結果が、前記更新された監視結果にセットされたＰＲＡ状態を有する監視指示メッセージで受信および送信される、請求項４に記載の方法。
【請求項６】
前記第１の情報が、前記第２の情報と同一または別のやり方で前記少なくとも１つの関心領域を指示する、請求項５に記載の方法。
【請求項７】
前記ＰＣＲＦエンティティを介して前記少なくとも１つの監視結果を取得すること（８０４）が、
前記ＰＣＲＦエンティティに、前記少なくとも１つのＵＥに関するＰＲＡの機能性を開始するための第３の要求を送信すること（６０６）と、
前記ＰＣＲＦエンティティから第１の監視結果を受信すること（６１６）とを含む、請求項１または２に記載の方法。
【請求項８】
前記ＰＣＲＦエンティティを介して前記少なくとも１つの監視結果を取得すること（８０４）が、
前記少なくとも１つの関心領域に対する前記少なくとも１つのＵＥの存在状態が変化したとき、前記ＰＣＲＦエンティティから更新された監視結果を受信すること（６２６）をさらに含む、請求項７に記載の方法。
【請求項９】
前記少なくとも１つのＵＥの量が１つであり、
前記第１の要求が、ＰＲＡにセットされた監視タイプおよび前記少なくとも１つの関心領域に関する第１の情報にセットされたＰＲＡ情報を有する監視要求メッセージであり、
前記第３の要求が、ＰＲＡにセットされた特定のアクションおよび前記少なくとも１つの関心領域に関する第３の情報にセットされたＰＲＡ情報を伴う認証許可要求（ＡＡＲ）メッセージであり、
前記第１の監視結果が、ＰＲＡにセットされた特定のアクションおよび前記第１の監視結果にセットされたＰＲＡ状態を伴う再許可要求（ＲＡＲ）メッセージで受信され、前記第１の監視結果にセットされたＰＲＡ状態を有する監視指示メッセージで送信され、
前記更新された監視結果が、ＰＲＡにセットされた特定のアクションおよび前記更新された監視結果にセットされたＰＲＡ状態を伴うＲＡＲメッセージで受信され、前記更新された監視結果にセットされたＰＲＡ状態を有する監視指示メッセージで送信される、請求項８に記載の方法。
【請求項１０】
前記少なくとも１つのＵＥの量が２つ以上であり、
前記第１の要求が、ＰＲＡにセットされた監視タイプ、前記少なくとも１つの関心領域に関する第１の情報にセットされたＰＲＡ情報、ならびに前記２つ以上のＵＥに関する外部グループ識別子およびグループ報告ガードタイムを有する監視要求メッセージであり、
前記第３の要求が、ＰＲＡにセットされた監視タイプ、前記少なくとも１つの関心領域に関する第３の情報にセットされたＰＲＡ情報、ならびに前記２つ以上のＵＥに関する外部グループ識別子を有する監視要求メッセージであり、
前記第１の監視結果が、前記第１の監視結果にセットされたＰＲＡ状態を有する監視指示メッセージで受信および送信され、
前記更新された監視結果が、前記更新された監視結果にセットされたＰＲＡ状態を有する監視指示メッセージで受信および送信される、請求項８に記載の方法。
【請求項１１】
前記第１の情報が、前記第３の情報と同一または別のやり方で前記少なくとも１つの関心領域を指示する、請求項９または１０に記載の方法。
【請求項１２】
要求サーバにおいて実施される方法であって、
サービス能力露出機能（ＳＣＥＦ：Ｓｅｒｖｉｃｅ  Ｃａｐａｂｉｌｉｔｙ  Ｅｘｐｏｓｕｒｅ  Ｆｕｎｃｔｉｏｎ）エンティティに、少なくとも１つのユーザ機器（ＵＥ）に関する存在報告領域（ＰＲＡ）の機能性を開始するための第１の要求を送信すること（９０２）であって、前記ＰＲＡの機能性が、前記少なくとも１つのＵＥが少なくとも１つの関心領域内にあるかどうかを監視するために使用される、第１の要求を送信すること（９０２）と、
前記ＳＣＥＦエンティティから、前記少なくとも１つのＵＥに関する少なくとも１つの監視結果を受信すること（９０４）とを含む方法。
【請求項１３】
前記少なくとも１つの監視結果を受信すること（９０４）が、
前記第１の要求の前記送信に応答して前記ＳＣＥＦエンティティから第１の監視結果を受信すること（２２６、６２０）を含む、請求項１２に記載の方法。
【請求項１４】
前記少なくとも１つの監視結果を受信すること（９０４）が、
前記少なくとも１つの関心領域に対する前記少なくとも１つのＵＥの存在状態が変化したとき、前記ＳＣＥＦエンティティから更新された監視結果を受信すること（２３４、６３０）をさらに含む、請求項１３に記載の方法。
【請求項１５】
前記第１の要求が、ＰＲＡにセットされた監視タイプおよび前記少なくとも１つの関心領域に関する第１の情報にセットされたＰＲＡ情報を有する監視要求メッセージであり、
前記第１の監視結果が、前記第１の監視結果にセットされたＰＲＡ状態を有する監視応答または監視指示メッセージで受信され、
前記更新された監視結果が、前記更新された監視結果にセットされたＰＲＡ状態を有する監視指示メッセージで受信される、請求項１４に記載の方法。
【請求項１６】
ホーム加入者サーバ（ＨＳＳ）において実施される方法であって、
サービス能力露出機能（ＳＣＥＦ：Ｓｅｒｖｉｃｅ  Ｃａｐａｂｉｌｉｔｙ  Ｅｘｐｏｓｕｒｅ  Ｆｕｎｃｔｉｏｎ）エンティティから、少なくとも１つのユーザ機器（ＵＥ）に関する存在報告領域（ＰＲＡ）の機能性を開始するための第２の要求を受信すること（３０２）であって、前記ＰＲＡの機能性が、前記少なくとも１つのＵＥが少なくとも１つの関心領域内にあるかどうかを監視するために使用される、第２の要求を受信すること（３０２）と、
モビリティ管理ノードから前記少なくとも１つのＵＥに関する少なくとも１つの監視結果を取得すること（３０４）と、
前記少なくとも１つの監視結果を前記ＳＣＥＦエンティティに送信すること（３０６）とを含む方法。
【請求項１７】
前記少なくとも１つの監視結果を取得すること（３０４）が、
前記モビリティ管理ノードに、前記少なくとも１つのＵＥに関するＰＲＡの機能性を開始するための第４の要求を送信すること（２１０）と、
前記モビリティ管理ノードから第１の監視結果を受信すること（２１８）とを含む、請求項１６に記載の方法。
【請求項１８】
前記第２の要求が、ＰＲＡにセットされた監視タイプおよび前記少なくとも１つの関心領域に関する第２の情報にセットされたＰＲＡ情報を有する監視要求メッセージであり、
前記第４の要求が、前記少なくとも１つの関心領域に関する第４の情報にセットされたＰＲＡ情報を有する加入者データ挿入要求メッセージであり、
前記第１の監視結果が、前記第１の監視結果にセットされたＰＲＡ状態を有する加入者データ挿入回答メッセージで受信され、前記第１の監視結果にセットされたＰＲＡ状態を有する監視応答メッセージで送信される、請求項１７に記載の方法。
【請求項１９】
前記第２の情報が、前記第４の情報と同一または別のやり方で前記少なくとも１つの関心領域を指示する、請求項１８に記載の方法。
【請求項２０】
モビリティ管理ノードにおいて実施される方法であって、
ホーム加入者サーバ（ＨＳＳ）から、少なくとも１つのユーザ機器（ＵＥ）に関する存在報告領域（ＰＲＡ）の機能性を開始するための第４の要求を受信すること（４０２）であって、前記ＰＲＡの機能性が、前記少なくとも１つのＵＥが少なくとも１つの関心領域内にあるかどうかを監視するために使用される、第４の要求を受信すること（４０２）と、
前記少なくとも１つのＵＥが前記少なくとも１つの関心領域内にあるかどうかを監視すること（４０４）と、
サービス能力露出機能（ＳＣＥＦ：Ｓｅｒｖｉｃｅ  Ｃａｐａｂｉｌｉｔｙ  Ｅｘｐｏｓｕｒｅ  Ｆｕｎｃｔｉｏｎ）エンティティに、直接、または前記ＨＳＳを介して、少なくとも１つの監視結果を送信すること（４０６）とを含む方法。
【請求項２１】
前記少なくとも１つの監視結果を送信すること（４０６）が、
前記第４の要求に応答して前記ＨＳＳに第１の監視結果を送信すること（２１６）を含む、請求項２０に記載の方法。
【請求項２２】
前記少なくとも１つの監視結果を送信すること（４０６）が、
前記少なくとも１つの関心領域に対する前記少なくとも１つのＵＥの存在状態が変化したとき、前記ＳＣＥＦエンティティに、更新された監視結果を直接送信すること（２２８）をさらに含む、請求項２１に記載の方法。
【請求項２３】
前記第４の要求が、前記少なくとも１つの関心領域に関する第４の情報にセットされたＰＲＡ情報を有する加入者データ挿入要求メッセージであり、
前記第１の監視結果が、前記第１の監視結果にセットされたＰＲＡ状態を有する加入者データ挿入回答メッセージで送信され、
前記更新された監視結果が、前記更新された監視結果にセットされたＰＲＡ状態を有する監視指示メッセージで送信される、請求項２２に記載の方法。
【請求項２４】
ポリシーおよび課金ルール機能（ＰＣＲＦ）エンティティにおいて実施される方法であって、
サービス能力露出機能（ＳＣＥＦ：Ｓｅｒｖｉｃｅ  Ｃａｐａｂｉｌｉｔｙ  Ｅｘｐｏｓｕｒｅ  Ｆｕｎｃｔｉｏｎ）エンティティから、少なくとも１つのユーザ機器（ＵＥ）に関する存在報告領域（ＰＲＡ）の機能性を開始するための第３の要求を受信すること（７０２）であって、前記ＰＲＡの機能性が、前記少なくとも１つのＵＥが少なくとも１つの関心領域内にあるかどうかを監視するために使用される、第３の要求を受信すること（７０２）と、
前記少なくとも１つのＵＥに関する少なくとも１つの監視結果を、モビリティ管理ノードから、ポリシーおよび課金強制ノードを介して取得すること（７０４）と、
前記少なくとも１つの監視結果を前記ＳＣＥＦエンティティに送信すること（７０６）とを含む方法。
【請求項２５】
前記少なくとも１つのＵＥの量が１つであり、
前記第３の要求が、ＰＲＡにセットされた特定のアクションおよび少なくとも１つの関心領域に関する第３の情報にセットされたＰＲＡ情報を伴う認証許可要求（ＡＡＲ）メッセージであり、
前記少なくとも１つの監視結果が、ＰＲＡにセットされた特定のアクションおよび前記少なくとも１つの監視結果にセットされたＰＲＡ状態を伴う再認可要求（ＲＡＲ）メッセージで送信される、請求項２４に記載の方法。
【請求項２６】
前記少なくとも１つのＵＥの量が２つ以上であり、
前記第３の要求が、ＰＲＡにセットされた監視タイプ、前記少なくとも１つの関心領域に関する第３の情報にセットされたＰＲＡ情報、ならびに前記２つ以上のＵＥに関する外部グループ識別子を有する監視要求メッセージであり、
前記少なくとも１つの監視結果が、前記少なくとも１つの監視結果にセットされたＰＲＡ状態を有する監視指示メッセージで送信される、請求項２４に記載の方法。
【請求項２７】
プロセッサ（１２１０）と、
記憶装置（１２２０）とを備える、サービス能力露出機能（ＳＣＥＦ：Ｓｅｒｖｉｃｅ  Ｃａｐａｂｉｌｉｔｙ  Ｅｘｐｏｓｕｒｅ  Ｆｕｎｃｔｉｏｎ）エンティティ（１２００）であって、前記記憶装置（１２２０）が前記プロセッサ（１２１０）によって実行可能な命令を含有していることにより、前記ＳＣＥＦエンティティ（１２００）が、
要求サーバから、少なくとも１つのユーザ機器（ＵＥ）に関する存在報告領域（ＰＲＡ）の機能性を開始するための第１の要求を受信することであって、前記ＰＲＡの機能性が、前記少なくとも１つのＵＥが少なくとも１つの関心領域内にあるかどうかを監視するために使用される、第１の要求を受信することと、
モビリティ管理ノードから、ホーム加入者サーバ（ＨＳＳ）またはポリシーおよび課金ルール機能（ＰＣＲＦ）エンティティを介して、前記少なくとも１つのＵＥに関する少なくとも１つの監視結果を取得することと、
前記少なくとも１つの監視結果を前記要求サーバに送信することと、を行うように機能するＳＣＥＦエンティティ（１２００）。
【請求項２８】
請求項２から１１のいずれか一項に記載の方法を遂行するように機能する、請求項２７に記載のＳＣＥＦエンティティ（１２００）。
【請求項２９】
プロセッサ（１２１０）と、
記憶装置（１２２０）とを備える、要求サーバ（１２００）であって、前記記憶装置（１２２０）が前記プロセッサ（１２１０）によって実行可能な命令を含有していることにより、前記要求サーバ（１２００）が、
サービス能力露出機能（ＳＣＥＦ：Ｓｅｒｖｉｃｅ  Ｃａｐａｂｉｌｉｔｙ  Ｅｘｐｏｓｕｒｅ  Ｆｕｎｃｔｉｏｎ）エンティティに、少なくとも１つのユーザ機器（ＵＥ）に関する存在報告領域（ＰＲＡ）の機能性を開始するための第１の要求を送信することであって、前記ＰＲＡの機能性が、前記少なくとも１つのＵＥが少なくとも１つの関心領域内にあるかどうかを監視するために使用される、第１の要求を送信することと、
前記ＳＣＥＦエンティティから、前記少なくとも１つのＵＥに関する少なくとも１つの監視結果を受信することと、を行うように機能する要求サーバ（１２００）。
【請求項３０】
請求項１３から１５のいずれか一項に記載の方法を遂行するように機能する、請求項２９に記載の要求サーバ（１２００）。
【請求項３１】
プロセッサ（１２１０）と、
記憶装置（１２２０）とを備える、ホーム加入者サーバ（ＨＳＳ）（１２００）であって、前記記憶装置（１２２０）が前記プロセッサ（１２１０）によって実行可能な命令を含有していることにより、前記ＨＳＳ（１２００）が、
サービス能力露出機能（ＳＣＥＦ：Ｓｅｒｖｉｃｅ  Ｃａｐａｂｉｌｉｔｙ  Ｅｘｐｏｓｕｒｅ  Ｆｕｎｃｔｉｏｎ）エンティティから、少なくとも１つのユーザ機器（ＵＥ）に関する存在報告領域（ＰＲＡ）の機能性を開始するための第２の要求を受信することであって、前記ＰＲＡの機能性が、前記少なくとも１つのＵＥが少なくとも１つの関心領域内にあるかどうかを監視するために使用される、第２の要求を受信することと、
モビリティ管理ノードから前記少なくとも１つのＵＥに関する少なくとも１つの監視結果を取得することと、
前記少なくとも１つの監視結果を前記ＳＣＥＦエンティティに送信することと、を行うように機能するＨＳＳ（１２００）。
【請求項３２】
請求項１７から１９のいずれか一項に記載の方法を遂行するように機能する、請求項３１に記載のＨＳＳ（１２００）。
【請求項３３】
プロセッサ（１２１０）と、
記憶装置（１２２０）とを備える、モビリティ管理ノード（１２００）であって、
前記記憶装置（１２２０）が前記プロセッサ（１２１０）によって実行可能な命令を含有していることにより、前記モビリティ管理ノード（１２００）が、
ホーム加入者サーバ（ＨＳＳ）から、少なくとも１つのユーザ機器（ＵＥ）に関する存在報告領域（ＰＲＡ）の機能性を開始するための第４の要求を受信することであって、前記ＰＲＡの機能性が、前記少なくとも１つのＵＥが少なくとも１つの関心領域内にあるかどうかを監視するために使用される、第４の要求を受信することと、
前記少なくとも１つのＵＥが前記少なくとも１つの関心領域内にあるかどうかを監視することと、
サービス能力露出機能（ＳＣＥＦ：Ｓｅｒｖｉｃｅ  Ｃａｐａｂｉｌｉｔｙ  Ｅｘｐｏｓｕｒｅ  Ｆｕｎｃｔｉｏｎ）エンティティに、直接、または前記ＨＳＳを介して、少なくとも１つの監視結果を送信することと、を行うように機能するモビリティ管理ノード（１２００）。
【請求項３４】
請求項２１から２３のいずれか一項に記載の方法を遂行するように機能する、請求項３３に記載のモビリティ管理ノード（１２００）。
【請求項３５】
プロセッサ（１２１０）と、
記憶装置（１２２０）とを備える、ポリシーおよび課金ルール機能（ＰＣＲＦ）エンティティ（１２００）であって、前記記憶装置（１２２０）が前記プロセッサ（１２１０）によって実行可能な命令を含有していることにより、前記ＰＣＲＦエンティティ（１２００）が、
サービス能力露出機能（ＳＣＥＦ：Ｓｅｒｖｉｃｅ  Ｃａｐａｂｉｌｉｔｙ  Ｅｘｐｏｓｕｒｅ  Ｆｕｎｃｔｉｏｎ）エンティティから、少なくとも１つのユーザ機器（ＵＥ）に関する存在報告領域（ＰＲＡ）の機能性を開始するための第３の要求を受信することであって、前記ＰＲＡの機能性が、前記少なくとも１つのＵＥが少なくとも１つの関心領域内にあるかどうかを監視するために使用される、第３の要求を受信することと、
前記少なくとも１つのＵＥに関する少なくとも１つの監視結果を、モビリティ管理ノードから、ポリシーおよび課金強制ノードを介して取得することと、
前記少なくとも１つの監視結果を前記ＳＣＥＦエンティティに送信することと、を行うように機能するＰＣＲＦエンティティ（１２００）。
【請求項３６】
請求項２５または２６に記載の方法を遂行するように機能する、請求項３５に記載のＰＣＲＦエンティティ（１２００）。
【請求項３７】
少なくとも１つのプロセッサによって実行されたとき、前記少なくとも１つのプロセッサに、請求項１から２６のいずれか一項に記載の方法を遂行させる命令を含んでいる、コンピュータプログラム製品。
【請求項３８】
少なくとも１つのプロセッサによって実行されたとき、前記少なくとも１つのプロセッサに、請求項１から２６のいずれか一項に記載の方法を遂行させる命令を含んでいる、コンピュータ可読記憶媒体。
【発明の詳細な説明】
【技術分野】
【０００１】
本開示の実施形態は、一般に無線通信に関し、より詳細には、存在報告領域（ＰＲＡ）の機能性を露出するための方法および装置に関する。
【背景技術】
【０００２】
この段落は、本開示の良き理解を助長し得る態様を紹介する。それゆえに、この段落の記述はこの観点から読み取られるべきであり、従来技術に含まれるものと含まれないものとに関する承認として理解されるべきではない。
【０００３】
サービス能力露出機能（Ｓｅｒｖｉｃｅ  Ｃａｐａｂｉｌｉｔｙ  Ｅｘｐｏｓｕｒｅ  Ｆｕｎｃｔｉｏｎ、ＳＣＥＦ）は、外部アプリケーションサービスセンタに第３世代パートナーシッププロジェクト（３ＧＰＰ）ネットワークのサービスおよび能力を露出するためのノードである。ＳＣＥＦは、３ＧＰＰリリース１３（Ｒ１３）の技術仕様（ＴＳ）２３．６８２において導入されている。３ＧＰＰ  ＴＳ  ２３．６８２の最新バージョンによれば、８つの露出イベントが規定されている。
【０００４】
第１の露出イベントは地理的領域にあるユーザ機器（ＵＥ）の数であり、モビリティ管理エンティティ（ＭＭＥ）によって直接検知され得る。第２の露出イベントは接続性の喪失であり、ホーム加入者サーバ（ＨＳＳ）によって検知され得る。第３の露出イベントはＵＥの到達可能性であり、ＨＳＳによって検知され得る。第４の露出イベントはロケーション報告であり、ＨＳＳまたはポリシーおよび課金ルール機能（ＰＣＲＦ）によって取得され得る。第５の露出イベントは国際移動加入者識別番号（ＩＭＳＩ）−国際移動機器アイデンティティ（ＩＭＥＩ）のソフトウェアバージョン（ＳＶ）の関連付けの変化であり、ＨＳＳによって検知され得る。第６の露出イベントはローミング状態であり、ＨＳＳによって検知され得る。第７の露出イベントは通信障害であり、ＨＳＳまたはＰＣＲＦによって検知され得る。第８の露出イベントはダウンリンクデータ通知（ＤＤＮ）障害の後の利用可能性であり、ＨＳＳによって検知され得る。
【発明の概要】
【０００５】
この概要は、発明を実施するための形態において以下でさらに説明される簡素化した概念の選択を導入するために提供されるものである。この概要は、特許請求される主題の主な特徴または基本的な特徴を識別するものではなく、また、特許請求される主題の範囲を限定するように使用されることを意図するものでもない。
【０００６】
本開示の目的の１つは、ＳＣＥＦによって露出されるサービス／能力を改善することである。
【０００７】
本開示の第１の態様によれば、ＳＣＥＦエンティティにおいて実施される方法が提供される。この方法は、要求サーバから、少なくとも１つのＵＥに関するＰＲＡの機能性を開始するための第１の要求を受信することを含む。ＰＲＡの機能性は、この少なくとも１つのＵＥが少なくとも１つの関心領域内にあるかどうかを監視するために使用される。この方法は、この少なくとも１つのＵＥに関する少なくとも１つの監視結果を、モビリティ管理ノードからＨＳＳまたはＰＣＲＦエンティティを介して取得することをさらに含む。この方法は、少なくとも１つの監視結果を要求サーバに送信することをさらに含む。
【０００８】
本開示の一実施形態では、この方法は、オペレータポリシーに従って、ＨＳＳとＰＣＲＦエンティティのどちらを介して少なくとも１つの監視結果を取得するべきか判定することをさらに含む。
【０００９】
本開示の一実施形態では、ＨＳＳを介して少なくとも１つの監視結果を取得することは、ＨＳＳに、少なくとも１つのＵＥに関するＰＲＡの機能性を開始するための第２の要求を送信することを含む。ＨＳＳを介して少なくとも１つの監視結果を取得することは、ＨＳＳから第１の監視結果を受信することをさらに含む。
【００１０】
本開示の一実施形態では、ＨＳＳを介して少なくとも１つの監視結果を取得することは、少なくとも１つの関心領域に対する少なくとも１つのＵＥの存在状態が変化したとき、モビリティ管理ノードから、更新された監視結果を受信することをさらに含む。
【００１１】
本開示の一実施形態では、第１の要求は、ＰＲＡにセットされた監視タイプおよび少なくとも１つの関心領域に関する第１の情報にセットされたＰＲＡ情報を有する監視要求メッセージである。第２の要求は、ＰＲＡにセットされた監視タイプおよび少なくとも１つの関心領域に関する第２の情報にセットされたＰＲＡ情報を有する監視要求メッセージである。第１の監視結果は、第１の監視結果にセットされたＰＲＡ状態を有する監視応答メッセージで受信および送信される。更新された監視結果は、更新された監視結果にセットされたＰＲＡ状態を有する監視指示メッセージで受信および送信される。
【００１２】
本開示の一実施形態では、第１の情報は、第２の情報と同一または別のやり方で、少なくとも１つの関心領域を指示する。
【００１３】
本開示の一実施形態では、ＰＣＲＦエンティティを介して少なくとも１つの監視結果を取得することは、ＰＣＲＦエンティティに、少なくとも１つのＵＥに関するＰＲＡの機能性を開始するための第３の要求を送信することを含む。ＰＣＲＦエンティティを介して少なくとも１つの監視結果を取得することは、ＰＣＲＦエンティティから第１の監視結果を受信することをさらに含む。
【００１４】
本開示の一実施形態では、ＰＣＲＦエンティティを介して少なくとも１つの監視結果を取得することは、少なくとも１つの関心領域に対する少なくとも１つのＵＥの存在状態が変化したとき、ＰＣＲＦエンティティから、更新された監視結果を受信することをさらに含む。
【００１５】
本開示の一実施形態では、少なくとも１つのＵＥの量は１つである。第１の要求は、ＰＲＡにセットされた監視タイプおよび少なくとも１つの関心領域に関する第１の情報にセットされたＰＲＡ情報を有する監視要求メッセージである。第３の要求は、ＰＲＡにセットされた特定のアクションおよび少なくとも１つの関心領域に関する第３の情報にセットされたＰＲＡ情報を伴う認証許可要求（ＡＡＲ）メッセージである。第１の監視結果は、ＰＲＡにセットされた特定のアクションおよび第１の監視結果にセットされたＰＲＡ状態を伴う再許可要求（ＲＡＲ）メッセージで受信され、第１の監視結果にセットされたＰＲＡ状態を有する監視指示メッセージで送信される。更新された監視結果は、ＰＲＡにセットされた特定のアクションおよび更新された監視結果にセットされたＰＲＡ状態を伴うＲＡＲメッセージで受信され、更新された監視結果にセットされたＰＲＡ状態を有する監視指示メッセージで送信される。
【００１６】
本開示の一実施形態では、少なくとも１つのＵＥの量は２つ以上である。第１の要求は、ＰＲＡにセットされた監視タイプ、少なくとも１つの関心領域に関する第１の情報にセットされたＰＲＡ情報、ならびに２つ以上のＵＥに関する外部グループ識別子およびグループ報告ガードタイムを有する監視要求メッセージである。第３の要求は、ＰＲＡにセットされた監視タイプ、少なくとも１つの関心領域に関する第３の情報にセットされたＰＲＡ情報、ならびに２つ以上のＵＥに関する外部グループ識別子を有する監視要求メッセージである。第１の監視結果は、第１の監視結果にセットされたＰＲＡ状態を有する監視指示メッセージで受信および送信される。更新された監視結果は、更新された監視結果にセットされたＰＲＡ状態を有する監視指示メッセージで受信および送信される。
【００１７】
本開示の一実施形態では、第１の情報は、第３の情報と同一または別のやり方で、少なくとも１つの関心領域を指示する。
【００１８】
本開示の第２の態様によれば、要求サーバにおいて実施される方法が提供される。この方法は、ＳＣＥＦエンティティに、少なくとも１つのＵＥに関するＰＲＡの機能性を開始するための第１の要求を送信することを含む。ＰＲＡの機能性は、この少なくとも１つのＵＥが少なくとも１つの関心領域内にあるかどうかを監視するために使用される。この方法は、ＳＣＥＦエンティティから、この少なくとも１つのＵＥに関する少なくとも１つの監視結果を受信することをさらに含む。
【００１９】
本開示の一実施形態では、少なくとも１つの監視結果を受信することは、第１の要求を送信することに応答してＳＣＥＦエンティティから第１の監視結果を受信することを含む。
【００２０】
本開示の一実施形態では、少なくとも１つの監視結果を受信することは、少なくとも１つの関心領域に対する少なくとも１つのＵＥの存在状態が変化したとき、ＳＣＥＦエンティティから、更新された監視結果を受信することをさらに含む。
【００２１】
本開示の一実施形態では、第１の要求は、ＰＲＡにセットされた監視タイプおよび少なくとも１つの関心領域に関する第１の情報にセットされたＰＲＡ情報を有する監視要求メッセージである。第１の監視結果は、第１の監視結果にセットされたＰＲＡ状態を有する監視応答または監視指示メッセージで受信される。更新された監視結果は、更新された監視結果にセットされたＰＲＡ状態を有する監視指示メッセージで受信される。
【００２２】
本開示の第３の態様によれば、ＨＳＳにおいて実施される方法が提供される。この方法は、ＳＣＥＦエンティティから、少なくとも１つのＵＥに関するＰＲＡの機能性を開始するための第２の要求を受信することを含む。ＰＲＡの機能性は、この少なくとも１つのＵＥが少なくとも１つの関心領域内にあるかどうかを監視するために使用される。この方法は、モビリティ管理ノードから、この少なくとも１つのＵＥに関する少なくとも１つの監視結果を取得することをさらに含む。この方法は、少なくとも１つの監視結果をＳＣＥＦエンティティに送信することをさらに含む。
【００２３】
本開示の一実施形態では、少なくとも１つの監視結果を取得することは、モビリティ管理ノードに、少なくとも１つのＵＥに関するＰＲＡの機能性を開始するための第４の要求を送信することを含む。少なくとも１つの監視結果を取得することは、モビリティ管理ノードから第１の監視結果を受信することをさらに含む。
【００２４】
本開示の一実施形態では、第２の要求は、ＰＲＡにセットされた監視タイプおよび少なくとも１つの関心領域に関する第２の情報にセットされたＰＲＡ情報を有する監視要求メッセージである。第４の要求は、少なくとも１つの関心領域に関する第４の情報にセットされたＰＲＡ情報を有する加入者データ挿入要求メッセージである。第１の監視結果は、第１の監視結果にセットされたＰＲＡ状態を有する加入者データ挿入回答メッセージで受信され、第１の監視結果にセットされたＰＲＡ状態を有する監視応答メッセージで送信される。
【００２５】
本開示の一実施形態では、第２の情報は、第４の情報と同一または別のやり方で、少なくとも１つの関心領域を指示する。
【００２６】
本開示の第４の態様によれば、モビリティ管理ノードにおいて実施される方法が提供される。この方法は、ＨＳＳから、少なくとも１つのＵＥに関するＰＲＡの機能性を開始するための第４の要求を受信することを含む。ＰＲＡの機能性は、この少なくとも１つのＵＥが少なくとも１つの関心領域内にあるかどうかを監視するために使用される。この方法は、この少なくとも１つのＵＥが少なくとも１つの関心領域内にあるかどうかを監視することをさらに含む。この方法は、ＳＣＥＦエンティティに、少なくとも１つの監視結果を、直接、またはＨＳＳを介して、送信することをさらに含む。
【００２７】
本開示の一実施形態では、少なくとも１つの監視結果を送信することは、第４の要求に応答してＨＳＳに第１の監視結果を送信することを含む。
【００２８】
本開示の一実施形態では、少なくとも１つの監視結果を送信することは、少なくとも１つの関心領域に対する少なくとも１つのＵＥの存在状態が変化したとき、ＳＣＥＦエンティティに、更新された監視結果を直接送信することをさらに含む。
【００２９】
本開示の一実施形態では、第４の要求は、少なくとも１つの関心領域に関する第４の情報にセットされたＰＲＡ情報を有する加入者データ挿入要求メッセージである。第１の監視結果は、第１の監視結果にセットされたＰＲＡ状態を有する加入者データ挿入回答メッセージで送信される。更新された監視結果は、更新された監視結果にセットされたＰＲＡ状態を有する監視指示メッセージで送信される。
【００３０】
本開示の第５の態様によれば、ＰＣＲＦエンティティにおいて実施される方法が提供される。この方法は、ＳＣＥＦエンティティから、少なくとも１つのＵＥに関するＰＲＡの機能性を開始するための第３の要求を受信することを含む。ＰＲＡの機能性は、この少なくとも１つのＵＥが少なくとも１つの関心領域内にあるかどうかを監視するために使用される。この方法は、この少なくとも１つのＵＥに関する少なくとも１つの監視結果を、モビリティ管理ノードから、ポリシーおよび課金強制ノードを介して取得することをさらに含む。この方法は、少なくとも１つの監視結果をＳＣＥＦエンティティに送信することをさらに含む。
【００３１】
本開示の一実施形態では、少なくとも１つのＵＥの量は１つである。第３の要求は、ＰＲＡにセットされた特定のアクションおよび少なくとも１つの関心領域に関する第３の情報にセットされたＰＲＡ情報を伴うＡＡＲメッセージである。少なくとも１つの監視結果は、ＰＲＡにセットされた特定のアクションおよび少なくとも１つの監視結果にセットされたＰＲＡ状態を伴うＲＡＲメッセージで送信される。
【００３２】
本開示の一実施形態では、少なくとも１つのＵＥの量は２つ以上である。第３の要求は、ＰＲＡにセットされた監視タイプ、少なくとも１つの関心領域に関する第３の情報にセットされたＰＲＡ情報、ならびに２つ以上のＵＥに関する外部グループ識別子を有する監視要求メッセージである。少なくとも１つの監視結果は、少なくとも１つの監視結果にセットされたＰＲＡ状態を有する監視指示メッセージで送信される。
【００３３】
本開示の第６の態様によれば、ＳＣＥＦエンティティが提供される。ＳＣＥＦエンティティはプロセッサおよび記憶装置を備える。記憶装置が、プロセッサによって実行可能な命令を含有していることにより、ＳＣＥＦエンティティは、要求サーバから、少なくとも１つのＵＥに関するＰＲＡの機能性を開始するための第１の要求を受け取るように機能する。ＰＲＡの機能性は、この少なくとも１つのＵＥが少なくとも１つの関心領域内にあるかどうかを監視するために使用される。ＳＣＥＦエンティティは、モビリティ管理ノードからＨＳＳまたはＰＣＲＦエンティティを介して、この少なくとも１つのＵＥに関する少なくとも１つの監視結果を取得するようにさらに機能する。ＳＣＥＦエンティティは、少なくとも１つの監視結果を要求サーバに送信するようにさらに機能する。
【００３４】
本開示の一実施形態では、ＳＣＥＦエンティティは、上記の第１の態様による方法を遂行するように機能する。
【００３５】
本開示の第７の態様によれば、要求サーバが提供される。要求サーバはプロセッサおよび記憶装置を備える。記憶装置がプロセッサによって実行可能な命令を含有していることにより、要求サーバは、ＳＣＥＦエンティティに、少なくとも１つのＵＥに関するＰＲＡの機能性を開始するための第１の要求を送信するように機能する。ＰＲＡの機能性は、この少なくとも１つのＵＥが少なくとも１つの関心領域内にあるかどうかを監視するために使用される。要求サーバは、ＳＣＥＦエンティティから、この少なくとも１つのＵＥに関する少なくとも１つの監視結果を受信するようにさらに機能する。
【００３６】
本開示の一実施形態では、要求サーバは、上記の第２の態様による方法を遂行するように機能する。
【００３７】
本開示の第８の態様によれば、ＨＳＳが提供される。ＨＳＳはプロセッサおよび記憶装置を備える。記憶装置がプロセッサによって実行可能な命令を含有していることにより、ＨＳＳは、ＳＣＥＦエンティティから、少なくとも１つのＵＥに関するＰＲＡの機能性を開始するための第２の要求を受信するように機能する。ＰＲＡの機能性は、この少なくとも１つのＵＥが少なくとも１つの関心領域内にあるかどうかを監視するために使用される。ＨＳＳは、モビリティ管理ノードから、この少なくとも１つのＵＥに関する少なくとも１つの監視結果を取得するようにさらに機能する。ＨＳＳは、少なくとも１つの監視結果をＳＣＥＦエンティティに送信するようにさらに機能する。
【００３８】
本開示の一実施形態では、ＨＳＳは、上記の第３の態様による方法を遂行するように機能する。
【００３９】
本開示の第９の態様によれば、モビリティ管理ノードが提供される。モビリティ管理ノードはプロセッサおよび記憶装置を備える。記憶装置がプロセッサによって実行可能な命令を含有していることにより、モビリティ管理ノードは、ＨＳＳから、少なくとも１つのＵＥに関するＰＲＡの機能性を開始するための第４の要求を受信するように機能する。ＰＲＡの機能性は、この少なくとも１つのＵＥが少なくとも１つの関心領域内にあるかどうかを監視するために使用される。モビリティ管理ノードは、この少なくとも１つのＵＥが少なくとも１つの関心領域内にあるかどうかを監視するようにさらに機能する。モビリティ管理ノードは、ＳＣＥＦエンティティに、少なくとも１つの監視結果を、直接、またはＨＳＳを介して、送信するようにさらに機能する。
【００４０】
本開示の一実施形態では、モビリティ管理ノードは、上記の第４の態様による方法を遂行するように機能する。
【００４１】
本開示の第１０の態様によれば、ＰＣＲＦエンティティが提供される。ＰＣＲＦエンティティはプロセッサおよび記憶装置を備える。記憶装置がプロセッサによって実行可能な命令を含有していることにより、ＰＣＲＦエンティティは、ＳＣＥＦエンティティから、少なくとも１つのＵＥに関するＰＲＡの機能性を開始するための第３の要求を受信するように機能する。ＰＲＡの機能性は、この少なくとも１つのＵＥが少なくとも１つの関心領域内にあるかどうかを監視するために使用される。ＰＣＲＦエンティティは、この少なくとも１つのＵＥに関する少なくとも１つの監視結果を、モビリティ管理ノードから、ポリシーおよび課金強制ノードを介して取得するようにさらに機能する。ＰＣＲＦエンティティは、少なくとも１つの監視結果をＳＣＥＦエンティティに送信するようにさらに機能する。
【００４２】
本開示の一実施形態では、ＰＣＲＦエンティティは、上記の第５の態様による方法を遂行するように機能する。
【００４３】
本開示の第１１の態様によれば、コンピュータプログラム製品が提供される。少なくとも１つのプロセッサが、コンピュータプログラム製品に含まれる命令を実行することにより、上記の第１の態様から第５の態様のいずれか１つに記載の方法を遂行する。
【００４４】
本開示の第１２の態様によれば、コンピュータ可読記憶媒体が提供される。少なくとも１つのプロセッサが、コンピュータ可読記憶媒体に含まれる命令を実行することにより、上記の第１の態様から第５の態様のいずれか１つに記載の方法を遂行する。
【００４５】
本開示の第１３の態様によれば、ＳＣＥＦエンティティが提供される。ＳＣＥＦエンティティは、要求サーバから、少なくとも１つのＵＥに関するＰＲＡの機能性を開始するための第１の要求を受信するための受信モジュールを備える。ＰＲＡの機能性は、この少なくとも１つのＵＥが少なくとも１つの関心領域内にあるかどうかを監視するために使用される。ＳＣＥＦエンティティは、この少なくとも１つのＵＥに関する少なくとも１つの監視結果を、モビリティ管理ノードからＨＳＳまたはＰＣＲＦエンティティを介して取得するための取得モジュールをさらに備える。ＳＣＥＦエンティティは、少なくとも１つの監視結果を要求サーバに送信するための送信モジュールをさらに備える。
【００４６】
本開示の第１４の態様によれば、要求サーバが提供される。要求サーバは、ＳＣＥＦエンティティに、少なくとも１つのＵＥに関するＰＲＡの機能性を開始するための第１の要求を送信するための送信モジュールを備える。ＰＲＡの機能性は、この少なくとも１つのＵＥが少なくとも１つの関心領域内にあるかどうかを監視するために使用される。要求サーバは、ＳＣＥＦエンティティから、この少なくとも１つのＵＥに関する少なくとも１つの監視結果を受信するための受信モジュールをさらに備える。
【００４７】
本開示の第１５の態様によれば、ＨＳＳが提供される。ＨＳＳは、ＳＣＥＦエンティティから、少なくとも１つのＵＥに関するＰＲＡの機能性を開始するための第２の要求を受信するための受信モジュールを備える。ＰＲＡの機能性は、この少なくとも１つのＵＥが少なくとも１つの関心領域内にあるかどうかを監視するために使用される。ＨＳＳは、モビリティ管理ノードから、この少なくとも１つのＵＥに関する少なくとも１つの監視結果を取得するための取得モジュールをさらに備える。ＨＳＳは、少なくとも１つの監視結果をＳＣＥＦエンティティに送信するための送信モジュールをさらに備える。
【００４８】
本開示の第１６の態様によれば、モビリティ管理ノードが提供される。モビリティ管理ノードは、ＨＳＳから、少なくとも１つのＵＥに関するＰＲＡの機能性を開始するための第４の要求を受信するための受信モジュールを備える。ＰＲＡの機能性は、この少なくとも１つのＵＥが少なくとも１つの関心領域内にあるかどうかを監視するために使用される。モビリティ管理ノードは、この少なくとも１つのＵＥが少なくとも１つの関心領域内にあるかどうかを監視するための監視モジュールをさらに備える。モビリティ管理ノードは、ＳＣＥＦエンティティに、少なくとも１つの監視結果を、直接、またはＨＳＳを介して、送信するための送信モジュールをさらに備える。
【００４９】
本開示の第１７の態様によれば、ＰＣＲＦエンティティが提供される。ＰＣＲＦエンティティは、ＳＣＥＦエンティティから、少なくとも１つのＵＥに関するＰＲＡの機能性を開始するための第３の要求を受信するための受信モジュールを備える。ＰＲＡの機能性は、この少なくとも１つのＵＥが少なくとも１つの関心領域内にあるかどうかを監視するために使用される。ＰＣＲＦエンティティは、この少なくとも１つのＵＥに関する少なくとも１つの監視結果を、モビリティ管理ノードから、ポリシーおよび課金強制ノードを介して取得するための取得モジュールをさらに備える。ＰＣＲＦエンティティは、少なくとも１つの監視結果をＳＣＥＦエンティティに送信するための送信モジュールをさらに備える。
【００５０】
本開示のいくつかの実施形態によれば、ＰＲＡの機能性は、能力露出のためにさらに使用されるように拡張され得る。
【００５１】
本開示のこれらおよび他の目的、特徴および利点は、添付図面に関連して読まれるべき、以下の例示の実施形態の詳細な説明から明らかになるはずである。
【図面の簡単な説明】
【００５２】
【図１】本開示の一実施形態を適用可能な例示的無線通信システムを示す概略図である。
【図２】本開示の一実施形態によるプロセスを図示する流れ図である。
【図３】本開示の一実施形態による、ＨＳＳにおいて実施される方法を図示する流れ図である。
【図４】本開示の一実施形態による、モビリティ管理ノードにおいて実施される方法を図示する流れ図である。
【図５】本開示の一実施形態による例示的解決策を図示する流れ図である。
【図６】本開示の別の実施形態によるプロセスを図示する流れ図である。
【図７】本開示の別の実施形態による、ＰＣＲＦエンティティにおいて実施される方法を図示する流れ図である。
【図８】本開示の一実施形態による、ＳＣＥＦエンティティにおいて実施される方法を図示する流れ図である。
【図９】本開示の一実施形態による、要求サーバにおいて実施される方法を図示する流れ図である。
【図１０】本開示の別の実施形態による例示的解決策を図示する流れ図である。
【図１１】本開示の別の実施形態による例示的解決策を図示する流れ図である。
【図１２】本開示のいくつかの実施形態を実施するために使用するのに適切な装置を示すブロック図である。
【図１３】本開示の一実施形態によるＳＣＥＦエンティティを示すブロック図である。
【図１４】本開示の一実施形態による要求サーバを示すブロック図である。
【図１５】本開示の一実施形態によるＨＳＳを示すブロック図である。
【図１６】本開示の一実施形態によるモビリティ管理ノードを示すブロック図である。
【図１７】本開示の一実施形態によるＰＣＲＦエンティティを示すブロック図である。
【発明を実施するための形態】
【００５３】
開示された実施形態の十分な理解を提供するために、説明の目的で、以下の説明において詳細が明らかにされる。しかしながら、当業者には、実施形態が、これら特定の詳細なしで、または等価な機構を用いて、実施され得ることが明らかである。
【００５４】
３ＧＰＰが規定している存在報告領域（ＰＲＡ）の機能性は、ＵＥが１つまたは複数の所定の領域またはＵＥに特有の領域の中にあるかどうかを監視してそれを報告するために使用される。この機能性においては、ポリシーおよび課金ルール機能（ＰＣＲＦ）が、ＰＲＡイベントを、ポリシーおよび課金強制機能（ＰＣＥＦ）／パケットデータネットワーク（ＰＤＮ）ゲートウェイ（ＰＧＷ）に向けてサブスクライブし、またＰＲＡ情報も提供する。そして、ＰＣＥＦ／ＰＧＷは、ＭＭＥからＰＲＡ報告をサブスクライブし、ＵＥがＰＲＡ情報で規定される領域に出入りする場合は常に、ＰＣＲＦにＰＲＡ報告を報告することになる。
【００５５】
しかしながら、ＰＲＡ状態報告はＰＣＲＦにおいて終端し、能力露出用には使用され得ない。したがって、ＵＥのロケーションを追跡するために露出されているのはロケーション報告イベントのみである。これによって以下の問題が生じる可能性がある。
【００５６】
第１に、ロケーション報告イベントは、ＵＥの現在のロケーションを連続的に監視して報告するためのサポートを提供する。細分性は、セルレベル（たとえばセルグローバル識別子（ＣＧＩ）／Ｅ−ＵＴＲＡＮ  ＣＧＩ（ＥＣＧＩ）レベル）、エボルブドノードＢ（ｅＮｏｄｅＢ）レベル、または追跡領域（ＴＡ）／ルーティング領域（ＲＡ）レベルであり、比較的小さい領域である。結果として、ネットワークにおいて、ＵＥのロケーションを露出するためにあまりも多くの余分なシグナリングが導入される。細分性が小さければ小さいほど、より多くのシグナリングが導入される。Ｅ−ＵＴＲＡＮという用語は、エボルブドユニバーサル移動体通信システム（ＵＭＴＳ）の地上無線アクセスネットワークを指すことに留意されたい。
【００５７】
第２に、サービスの観点からすると、サービスが正確なロケーション報告を必要とせず、ＰＲＡレベルの報告で十分なことがある。たとえば、自転車シェアサービスについては、サービスオペレータは、自転車が都市の中にあるのか外にあるのか（または都市の内部の管区にあるのか）を監視して、自転車が都市を出るときには自転車の利用者に注意するメッセージを送信するなど、何かの対処をすることを望む。そのようなサービスにとって、連続的なロケーション報告は割高でありすぎ、かつ重すぎる。
【００５８】
本開示は、ＰＲＡの機能性を露出するための解決策を提案するものである。以下で、図１〜図１２を参照しながらこれらの解決策を詳細に説明する。
【００５９】
図１は、本開示の一実施形態を適用可能な例示的無線通信システムを示す概略図である。無線通信システムの少なくとも一部分は、ロングタームエボリューション（ＬＴＥ）−アドバンスト（ＬＴＥ−Ａ）、ＬＴＥ、広帯域符号分割多元接続（ＷＣＤＭＡ）、高速パケットアクセス（ＨＳＰＡ）など、任意の適切な通信規格に準拠し得る。その上、通信は、それだけではないが、第１世代（１Ｇ）、第２世代（２Ｇ）、２．５Ｇ、２．７５Ｇ、第３世代（３Ｇ）、第４世代（４Ｇ）、４．５Ｇ、将来の第５世代（５Ｇ）の通信プロトコル、および／または現在既知の、もしくは今後開発される、その他のプロトコルを含む任意の適切な世代の通信プロトコルによる無線通信システムで遂行され得る。
【００６０】
示されるように、無線通信システムは、少なくとも、ユーザ機器（ＵＥ）１０２、無線アクセスネットワーク（ＲＡＮ）１０４、サービング汎用パケット無線サービス（ＧＰＲＳ）サポートノード（ＳＧＳＮ）１０６、モビリティ管理エンティティ（ＭＭＥ）１０８、サービングゲートウェイ（ＳＧＷ）１１０、ゲートウェイＧＰＲＳサポートノード（ＧＧＳＮ）／パケットデータネットワーク（ＰＤＮ）ゲートウェイ（ＰＧＷ）１１２、ポリシーおよび課金ルール機能（ＰＣＲＦ）１１６、サービス能力露出機能（ＳＣＥＦ）１１８、サービス能力サーバ（ＳＣＳ）１２０、アプリケーションサーバ（ＡＳ）１２２およびホーム加入者サーバ（ＨＳＳ）１２４を備える。ＧＧＳＮ／ＰＧＷ  １１２はポリシーおよび課金強制機能（ＰＣＥＦ）１１４を含む。前述の各エンティティの量は２つ以上でよいことに留意されたい。
【００６１】
ＵＥ  １０２は、無線アクセス通信リンクを通じてＲＡＮ  １０４と通信することができる。ＵＥは、たとえば、移動ステーション、移動ユニット、加入者ステーション、アクセス端末、端末デバイス等とも称され得る。ＵＥは、無線通信ネットワークにアクセスしてサービスを受信することができる任意の端末デバイスを指し得る。限定ではなく例として、ＵＥは、携帯型コンピュータ、デジタルカメラなどの画像取り込み端末デバイス、ゲーム端末デバイス、音楽の記憶および再生器具、携帯電話、セル式電話、スマートフォン、タブレット、ウェアラブルデバイス、携帯情報端末（ＰＤＡ）等を含み得る。
【００６２】
モノのインターネット（ＩｏＴ）のシナリオでは、ＵＥは、監視および／または測定を遂行して、そのような監視および／または測定の結果を別のＵＥおよび／またはネットワーク機器に伝送するマシンまたは他のデバイスを表し得る。この場合、ＵＥはマシンツーマシン（Ｍ２Ｍ）デバイスでよく、これは、３ＧＰＰの状況ではマシン型通信（ＭＴＣ）デバイスと称されることがある。そのようなマシンまたはデバイスの特別な例には、センサ、電力計などの計量デバイス、産業機械、自転車、車両、または、たとえば冷蔵庫、テレビ、腕時計のような個人用装着品などの家庭器具もしくは個人用器具が含まれ得る。
【００６３】
ＲＡＮ  １０４は、たとえばユニバーサル移動体通信システム（ＵＭＴＳ）の地上ＲＡＮ（ＵＴＲＡＮ）、広域自動車通信システム（ＧＳＭ）のＧＳＭエボリューション（ＥＤＧＥ）ＲＡＮ（ＧＥＲＡＮ）用の拡張データレート、および／またはエボルブドユニバーサル地上ＲＡＮ（Ｅ−ＵＴＲＡＮ）を含み得る。ＵＴＲＡＮおよびＧＥＲＡＮは、それぞれが、それぞれの通信サービスセルの内部のＵＥに無線アクセス通信リンクを提供する無線基地局によって通信を制御する必要がある無線ネットワークコントローラ（ＲＮＣ）ノードを含むことができる。Ｅ−ＵＴＲＡＮは、ＲＮＣノードとＵＴＲＡＮの基地局およびＧＥＲＡＮの基地局とを組み合わせた機能性を提供することができる無線基地局ノード（ｅＮｏｄｅＢｓ）を含み得る。ＵＥ  １０２は、Ｕｍインターフェースを介してＧＥＲＡＮと通信し得、Ｕｕインターフェースを介してＵＴＲＡＮおよびＥ−ＵＴＲＡＮと通信し得る。
【００６４】
ＳＧＳＮ  １０６はＵＭＴＳにおけるコアネットワークノードであり、ユーザプレーン機能および制御プレーン機能を有する。ＳＧＳＮ  １０６のユーザプレーン機能は、ＲＡＮ  １０４とＧＧＳＮ／ＰＧＷ  １１２の間でＵＥ  １０２のユーザデータパケットを転送することができる。ＳＧＳＮ  １０６の制御プレーン機能は、ＵＥ  １０２のモビリティ管理、ベアラ管理等を実行することができる。その上、ＳＧＳＮ  １０６は、ＵＥ  １０２のＲＮＣ間のハンドオーバ中にユーザプレーン用のモビリティアンカとして機能し得る。
【００６５】
ＭＭＥ  １０８はエボルブドパケット通信（ＥＰＳ）におけるコアネットワークノードであり、ＵＥ  １０２のモビリティ管理、ベアラ管理等を実行することができる。ＳＧＷ  １１０は、ＥＰＳのコアネットワークにおけるパケット転送ノードである。ＳＧＷ  １１０は、ＲＡＮ  １０４とＧＧＳＮ／ＰＧＷ  １１２の間でＵＥ  １０２のユーザデータパケットを転送することができる。その上、ＳＧＷ  １１０は、ＵＥ  １０２のｅＮｏｄｅＢ間のハンドオーバ中にユーザプレーン用のモビリティアンカとして機能し得る。
【００６６】
ＧＧＳＮはＵＭＴＳにおけるコアネットワークノードである。ＰＧＷはＥＰＳにおけるコアネットワークノードである。ＧＧＳＮ／ＰＧＷ  １１２は、ＧＧＳＮまたはＰＧＷの一方または両方を意味する。ＧＧＳＮ／ＰＧＷ  １１２はコアネットワークにおけるユーザプレーンパケット転送ノードであり、ＵＥ  １０２のユーザデータパケットを転送することができる。ＧＧＳＮ／ＰＧＷ  １１２は外部ＰＤＮへのゲートウェイの役目を果たし、ＵＥ  １０２に外部ＰＤＮとの接続性をもたらし得る。
【００６７】
ＧＧＳＮ／ＰＧＷ  １１２に含まれるＰＣＥＦ  １１４は、ＰＣＲＦ  １１６から与えられたポリシーおよび課金制御（ＰＣＣ）ルールに従って、ＵＥ  １０２のサービスデータフローごとにサービス品質（ＱｏＳ）制御およびフローベースのベアラ課金（ＦＢＣ）を実行することができる。対応して、ＰＣＲＦ  １１６はＥＰＳのコアネットワークにおける制御プレーンエンティティである。ＰＣＲＦ  １１６は、ＵＥ  １０２のサービスデータフローに適用されるＰＣＣルールを決定して、ＰＣＥＦ  １１４を有するＧＧＳＮ／ＰＧＷ  １１２に、決定されたＰＣＣルールを送信することができる。ＰＣＲＦ  １１６は、Ｇｘインターフェースを介してＰＣＥＦ  １１４と通信し得る。
【００６８】
ＳＣＥＦ  １１８は、オープンモバイルアライアンス（ＯＭＡ）、ＧＳＭアライアンス（ＧＳＭＡ）および場合により他の規格化団体によって規定された同種のネットワークアプリケーションプログラミングインターフェース（ＡＰＩ）を介してサービスおよび能力へのアクセスを提供することにより、３ＧＰＰネットワークによって提供されたサービスおよび能力を安全に露出することができる。ＳＣＥＦ  １１８は、Ｒｘインターフェースを介してＰＣＲＦ  １１６と通信し得、Ｔ６ａインターフェースを介してＭＭＥ  １０８と通信し得、Ｔ６ｂインターフェースを介してＳＧＳＮ  １０６と通信し得る。
【００６９】
ＳＣＳ  １２０は、アプリケーションがオープンサービスアクセス（ＯＳＡ）標準インターフェースにアクセスすることを可能にし、アプリケーション開発者にネットワークプロトコルのアブストラクションを提供することができる。ＳＣＳ  １２０は、アプリケーションとネットワークの間のゲートウェイとして、ＯＳＡインターフェースのネットワークプロトコルへのマッピングおよびネットワークプロトコルのＯＳＡインターフェースへのマッピングを達成することができる。ＳＣＳ  １２０は、Ｇｉ／ＳＧｉインターフェースを介してＧＧＳＮ／ＰＧＷ  １１２と通信し得、Ｔ８インターフェースを介してＳＣＥＦ  １１８と通信し得る。ＡＳ  １２２は、ユーザ向けのアプリケーションおよび関連するサービスを、インストールし、動作させ、かつホスティングするように設計されたタイプのサーバでよい。ＡＳ  １２２は、Ｇｉ／ＳＧｉインターフェースを介してＧＧＳＮ／ＰＧＷ  １１２と通信し得る。ＨＳＳ  １２４は、３ＧＰＰ公衆陸上移動ネットワーク（ＰＬＭＮ）のコアネットワークにおける制御プレーンノードであり、ＵＥ  １０２の加入者情報を管理することができる。ＨＳＳ  １２４は、Ｓ６ｔインターフェースを介してＳＣＥＦ  １１８と通信し得る。
【００７０】
図１に示されるように、無線通信システムは、マシン型通信（ＭＴＣ）−インターワーキング機能（ＩＷＦ）１２６、ショートメッセージサービス（ＳＭＳ）−サービスセンタ（ＳＣ）／ゲートウェイ移動交換センタ（ＧＭＳＣ）／インターワーキングＭＳＣ（ＩＷＭＳＣ）１２８、ショートメッセージエンティティ（ＳＭＥ）１３０およびインターネットプロトコル（ＩＰ）−ショートメッセージ（ＳＭ）−ゲートウェイ（ＧＷ）１３２をさらに備え得る。ＭＴＣ−ＩＷＦ  １２６は、３ＧＰＰ  ＰＬＭＮのトポロジの詳細を隠す一方で、３ＧＰＰ  ＰＬＭＮとマシンツーマシン（Ｍ２Ｍ）サービスレイヤが互いに協働する（相互作用する）ことを可能にする制御プレーンインターフェースまたはゲートウェイの役目を果たすことができる。
【００７１】
ＳＭＳ−ＳＣ／ＧＭＳＣ／ＩＷＭＳＣ  １２８は、ＳＧＳＮ  １０６またはＭＭＥ  １０８を介して、ＵＥ  １０２に、移動体が終端となる方向のショートメッセージを伝送し、ＵＥ  １０２から、移動体が起点となる方向のショートメッセージを受信することができる。ＳＭＥ  １３０は、ショートメッセージを送信したり受信したりすることができる通信デバイスまたは通信システムでよく、たとえばセル式電話のハンドセット、電話、コンピュータベースの通信システムでよい。ＩＰ−ＳＭ−ＧＷ  １３２は、ショートメッセージ（ＳＭ）−ｏｖｅｒ−ＩＰ送信者からサービスセンタへのショートメッセージの提出のために相互作用するプロトコルを提供することができる。
【００７２】
図２は本開示の一実施形態によるプロセスを図示する流れ図である。示されるように、プロセスは、要求サーバ、ＳＣＥＦエンティティ、ＨＳＳ、モビリティ管理ノードといった４つのタイプのエンティティを包含している。要求サーバはたとえばＳＣＳまたはＡＳでよい。モビリティ管理ノードはたとえばＭＭＥまたはＳＧＳＮでよい。
【００７３】
ブロック２０２において、要求サーバは、ＳＣＥＦエンティティに、少なくとも１つのＵＥに関するＰＲＡの機能性を開始するための第１の要求を送信する。ＰＲＡの機能性は、この少なくとも１つのＵＥが少なくとも１つの関心領域内にあるかどうかを監視するために使用される。対応して、ブロック２０４において、ＳＣＥＦエンティティは要求サーバから第１の要求を受信する。第１の要求は、少なくとも１つのＵＥのアイデンティティと、少なくとも１つの関心領域に関する第１の情報とを含み得る。ＵＥのアイデンティティは、それだけではないが、移動加入者の国際的ＩＳＤＮ番号（ＭＳＩＳＤＮ）、外部ＩＤ（たとえばＩＰアドレス）等を含み得る。ＩＳＤＮという用語は、総合サービスデジタルネットワークを指す。少なくとも１つの関心領域は、要求サーバによって提供されるサービスに関連したエンティティによって指定され得る。第１の情報は、任意の適切なやり方で少なくとも１つの関心領域を指示し得る。たとえば、自転車シェアサービスでは、サービスオペレータは、自転車が都市の中にあるのか外にあるのか監視することを望むであろう。そこで、第１の情報は、都市の名称、郵便番号等の形をとり得る。
【００７４】
たとえば、第１の要求は、ＰＲＡにセットされた監視タイプおよび第１の情報にセットされたＰＲＡ情報を有する監視要求メッセージであり得る。少なくとも１つのＵＥの量が２つ以上であれば、監視要求メッセージは、２つ以上のＵＥに関する外部グループ識別子およびグループ報告ガードタイムをさらに含み得る。監視要求メッセージは、要求サーバからＴ８インターフェースを介してＳＣＥＦエンティティに送信されてよい。
【００７５】
ブロック２０６において、ＳＣＥＦエンティティは、ＨＳＳに、少なくとも１つのＵＥに関するＰＲＡの機能性を開始するための第２の要求を送信する。対応して、ブロック２０８において、ＨＳＳはＳＣＥＦエンティティから第２の要求を受信する。第１の要求と同様に、第２の要求は、少なくとも１つのＵＥのアイデンティティと、少なくとも１つの関心領域に関する第２の情報とを含み得る。第１の選択肢として、第２の情報は第１の情報と同一でよい。第２の選択肢として、第２の情報は、第１の情報とは異なるやり方で少なくとも１つの関心領域を指示してよい。たとえば、前述の自転車シェアサービスでは、ＳＣＥＦエンティティは、都市の名称から対応する追跡領域（ＴＡ）へのマッピングを遂行し、これらのＴＡの識別情報を第２の情報として採用してよい。
【００７６】
たとえば、第２の要求は、ＰＲＡにセットされた監視タイプおよび第２の情報にセットされたＰＲＡ情報を有する監視要求メッセージであり得る。少なくとも１つのＵＥの量が２つ以上であれば、監視要求メッセージは、２つ以上のＵＥに関する外部グループ識別子およびグループ報告ガードタイムをさらに含み得る。監視要求メッセージは、ＳＣＥＦからＳ６ｔインターフェースを介してＨＳＳに送信されてよい。
【００７７】
ブロック２１０において、ＨＳＳは、モビリティ管理ノードに、少なくとも１つのＵＥに関するＰＲＡの機能性を開始するための第４の要求を送信する。対応して、ブロック２１２において、モビリティ管理ノードはＨＳＳから第４の要求を受信する。少なくとも１つのＵＥの量が２つ以上であれば、ＨＳＳは各ＵＥに対して第４の要求を送信してよい。第４の要求は、ＵＥのアイデンティティと、少なくとも１つの関心領域に関する第４の情報とを含み得る。第２の情報が第１の情報と同一である場合、第４の情報は第２の情報と同一でよく、または、たとえば前述のマッピングを遂行することにより、第２の情報とは異なるやり方で少なくとも１つの関心領域を指示してよい。第２の情報が（たとえば前述のマッピングによって）第１の情報と異なる場合、第４の情報は、第２の情報と同一でよい。
【００７８】
たとえば、第４の要求は、第４の情報にセットされたＰＲＡ情報を有する加入者データ挿入要求メッセージでよい。加入者データ挿入要求メッセージは、ＨＳＳからＳ６ａ／ｄインターフェースを介してモビリティ管理ノードに送信され得る。
【００７９】
ブロック２１４において、モビリティ管理ノードは、少なくとも１つのＵＥが少なくとも１つの関心領域内にあるかどうかを監視する。第２の情報および第４の情報が第１の情報と同一であれば、モビリティ管理ノードは前述のマッピングを遂行してよい。すなわち、マッピングは、ＳＣＥＦエンティティ、ＨＳＳおよびモビリティ管理ノードのうち任意の１つにおいて遂行され得る。ブロック２１４は、３ＧＰＰ  ＴＳ２３．６８２の節５．６．１．１のステップ６を実行することによって実施され得る。この技術仕様は全体が参照によって本明細書に組み込まれる。
【００８０】
ブロック２１６において、モビリティ管理ノードは、第４の要求に応答して、ＨＳＳに第１の監視結果を送信する。対応して、ブロック２１８において、ＨＳＳはモビリティ管理ノードから第１の監視結果を受信する。少なくとも１つのＵＥの量が２つ以上であれば、モビリティ管理ノードは各ＵＥに対して第１の監視結果を送信してよい。たとえば、第１の監視結果は、第１の監視結果にセットされたＰＲＡ状態を有する加入者データ挿入回答メッセージで送受信され得る。
【００８１】
ブロック２２０において、ＨＳＳは、ＳＣＥＦエンティティに第１の監視結果を送信する。対応して、ブロック２２２において、ＳＣＥＦエンティティはＨＳＳから第１の監視結果を受信する。たとえば、第１の監視結果は、第１の監視結果にセットされたＰＲＡ状態を有する監視応答メッセージで送受信され得る。
【００８２】
ブロック２２４において、ＳＣＥＦエンティティは、要求サーバに第１の監視結果を送信する。対応して、ブロック２２６において、要求サーバはＳＣＥＦエンティティから第１の監視結果を受信する。たとえば、第１の監視結果は、第１の監視結果にセットされたＰＲＡ状態を有する監視応答メッセージで送受信され得る。
【００８３】
そこで、少なくとも１つの関心領域に対する少なくとも１つのＵＥの存在状態が変化したとき、モビリティ管理ノードはブロック２１４を遂行することによってこの変化を検知する。モビリティ管理ノードは、この検知に応答して、ブロック２２８において、更新された監視結果をＳＣＥＦエンティティに直接送信する。対応して、ブロック２３０において、ＳＣＥＦエンティティはモビリティ管理ノードから更新された監視結果を受信する。たとえば、更新された監視結果は、ＰＲＡにセットされた特定のアクションおよび更新された監視結果にセットされたＰＲＡ状態を伴う再許可要求（ＲＡＲ）メッセージで、Ｔ６ａインターフェースを介して送受信され得る。
【００８４】
ブロック２３２において、ＳＣＥＦエンティティは、要求サーバに、更新された監視結果を送信する。対応して、ブロック２３４において、要求サーバはＳＣＥＦエンティティから更新された監視結果を受信する。たとえば、更新された監視結果は、更新された監視結果にセットされたＰＲＡ状態を有する監視指示メッセージで送受信され得る。
【００８５】
このようにして、ＰＲＡの機能性が、能力露出用にさらに使用されるように拡張され得る。ＰＲＡ能力露出、すなわちイベントの監視および報告は、自転車シェアサービスなどいくつかのサービスのためのロケーション追跡用の効率的でかつ軽い解決策を提供する。これは、結果として、ネットワークリソースに対するコストおよびサービスオペレータのコストを下げることになる。
【００８６】
図３は、本開示の一実施形態による、ＨＳＳにおいて実施される方法を図示する流れ図である。ブロック３０２において、ＨＳＳは、ＳＣＥＦエンティティから、少なくとも１つのＵＥに関するＰＲＡの機能性を開始するための第２の要求を受信する。ＰＲＡの機能性は、この少なくとも１つのＵＥが少なくとも１つの関心領域内にあるかどうかを監視するために使用される。ブロック３０２はブロック２０８と同一でよい。ブロック３０４において、ＨＳＳは、モビリティ管理ノードから、この少なくとも１つのＵＥに関する少なくとも１つの監視結果を取得する。たとえば、ブロック３０４はブロック２１０および２１８として実施されてよい。ブロック３０６において、ＨＳＳは、ＳＣＥＦエンティティに少なくとも１つの監視結果を送信する。ブロック３０６はブロック２２０と同一でよい。
【００８７】
図４は、本開示の一実施形態による、モビリティ管理ノードにおいて実施される方法を図示する流れ図である。ブロック４０２において、モビリティ管理ノードは、ＨＳＳから、少なくとも１つのＵＥに関するＰＲＡの機能性を開始するための第４の要求を受信する。ＰＲＡの機能性は、この少なくとも１つのＵＥが少なくとも１つの関心領域内にあるかどうかを監視するために使用される。ブロック４０２はブロック２１２と同一でよい。ブロック４０４において、モビリティ管理ノードは、この少なくとも１つのＵＥが少なくとも１つの関心領域内にあるかどうかを監視する。ブロック４０４はブロック２１４と同一でよい。ブロック４０６において、モビリティ管理ノードは、ＳＣＥＦエンティティに、少なくとも１つの監視結果を、直接、またはＨＳＳを介して送信する。ブロック４０６はブロック２１６および２２８として実施されてよい。
【００８８】
図５は、本開示の一実施形態による例示的解決策を図示する流れ図である。この解決策では、要求サーバはＳＣＳまたはＡＳである。モビリティ管理ノードはＭＭＥまたはＳＧＳＮである。ブロック５０２において、ＳＣＳ／ＡＳは、ＳＣＥＦに監視要求メッセージを送信する。監視要求メッセージにおける監視タイプはＰＲＡにセットされており、ＰＲＡ情報は監視要求メッセージに含まれる。ＰＲＡ情報は、関心領域（複数可）に関する情報を含む。ＳＣＳ／ＡＳがＵＥのグループに対する監視イベントを設定することを望む場合、監視要求メッセージは、外部グループ識別子およびグループ報告ガードタイムをさらに含み得る。
【００８９】
ブロック５０４において、ＳＣＳ／ＡＳが認証されないか、または設定パラメータが認証されない場合には、ＳＣＥＦは要求を拒否してよい。これは、３ＧＰＰ  ＴＳ２３．６８２の節５．６．１．１のステップ２を実行することによって行われ得る。ブロック５０６において、ＳＣＥＦはＨＳＳに監視要求メッセージを送信する。監視要求メッセージにおける監視タイプはＰＲＡにセットされており、ＰＲＡ情報は監視要求メッセージに含まれる。ブロック５０６のいくつかの詳細は、３ＧＰＰ  ＴＳ２３．６８２の節５．６．１．１のステップ３に類似であり得る。
【００９０】
ブロック５０８において、ＨＳＳはＵＥ  ＰＲＡイベントを記憶する。設定パラメータが認証されなければ、ＨＳＳは要求を拒否してよい。これは、３ＧＰＰ  ＴＳ２３．６８２の節５．６．１．１のステップ４を実行することによって行われ得る。グループベースの処理については、ＨＳＳは、外部グループ識別子を伴う監視要求メッセージを受信すると、ブロック５１０において、ＳＣＥＦに監視応答（ＳＣＥＦ参照ＩＤ、原因）メッセージを送信し、個々のＵＥの処理を開始する直前に監視要求の受諾を確認して、グループ処理が進行中であることを指示する。ＨＳＳは、ＳＣＥＦ参照ＩＤによって識別された監視イベント設定を（要求されていた場合には）削除してよい。ブロック５１２において、ＳＣＥＦは、グループ処理が進行中であることを示す監視応答メッセージを用いてＳＣＳ／ＡＳに返信してよい。
【００９１】
ブロック５１４において、ＨＳＳは、ＭＭＥ／ＳＧＳＮに加入者データ挿入要求メッセージを送信する。ＵＥに関するＰＲＡ情報は加入者データ挿入要求メッセージに含まれ得る。ブロック５１４のいくつかの詳細は、３ＧＰＰ  ＴＳ２３．６８２の節５．６．１．１のステップ５に類似であり得る。ブロック５１６において、ＭＭＥ／ＳＧＳＮは、３ＧＰＰ  ＴＳ２３．６８２の節５．６．１．１のステップ６を実行する。ブロック５１８において、ＭＭＥ／ＳＧＳＮは、ＨＳＳに、加入者データ挿入回答メッセージでＵＥに関するＰＲＡ状態を報告する。ブロック５１８のいくつかの詳細は、３ＧＰＰ  ＴＳ２３．６８２の節５．６．１．１のステップ７に類似であり得る。
【００９２】
ブロック５２０において、ＨＳＳは、ＳＣＥＦに、ＵＥに関するＰＲＡ状態を監視応答メッセージで報告する。ブロック５２０のいくつかの詳細は、３ＧＰＰ  ＴＳ２３．６８２の節５．６．１．１のステップ８に類似であり得る。ブロック５２２において、ＳＣＥＦは、ＳＣＳ／ＡＳに、ＵＥに関するＰＲＡ状態を監視応答メッセージで報告する。ブロック５２２のいくつかの詳細は、３ＧＰＰ  ＴＳ２３．６８２の節５．６．１．１のステップ９に類似であり得る。
【００９３】
ブロック５２４において、たとえば追跡領域の更新（ＴＡＵ）またはｅＮｏｄｅＢの変化といったロケーション変化があり、それによりＰＲＡ状態が変化する。これに応答して、ＭＭＥ／ＳＧＳＮは、ブロック５２６において、ＳＣＥＦに、ＵＥに関する更新されたＰＲＡ状態を報告する。ブロック５２６のいくつかの詳細は、３ＧＰＰ  ＴＳ２３．６８２の節５．６．３．１のステップ２ａに類似であり得る。ブロック５２８において、ＳＣＥＦは、ＳＣＳ／ＡＳに、ＵＥに関する更新されたＰＲＡ状態を報告する。ブロック５２８のいくつかの詳細は、３ＧＰＰ  ＴＳ２３．６８２の節５．６．３．１のステップ３に類似であり得る。
【００９４】
図６は、本開示の別の実施形態によるプロセスを図示する流れ図である。示されるように、プロセスは、要求サーバ、ＳＣＥＦエンティティおよびＰＣＲＦエンティティといった３つのタイプのエンティティを包含している。要求サーバはたとえばＳＣＳまたはＡＳでよい。ブロック６０２において、要求サーバは、ＳＣＥＦエンティティに、少なくとも１つのＵＥに関するＰＲＡの機能性を開始するための第１の要求を送信する。ＰＲＡの機能性は、この少なくとも１つのＵＥが少なくとも１つの関心領域内にあるかどうかを監視するために使用される。対応して、ブロック６０４において、ＳＣＥＦエンティティは要求サーバから第１の要求を受信する。ブロック６０２および６０４は、それぞれブロック２０２および２０４と同一であり得る。
【００９５】
ブロック６０６において、ＳＣＥＦエンティティは、ＰＣＲＦエンティティに、少なくとも１つのＵＥに関するＰＲＡの機能性を開始するための第３の要求を送信する。対応して、ブロック６０８において、ＰＣＲＦエンティティはＳＣＥＦエンティティから第３の要求を受信する。少なくとも１つのＵＥの量が２つ以上であれば、ＳＣＥＦエンティティは、オペレータのネットワークにおける各ＰＣＲＦエンティティに第３の要求を送信し得る。第１の要求と同様に、第３の要求は、少なくとも１つのＵＥのアイデンティティと、少なくとも１つの関心領域に関する第３の情報とを含み得る。第３の情報は第１の情報と同一でよく、または、たとえば前述のマッピングを遂行することにより、第１の情報とは異なるやり方で少なくとも１つの関心領域を指示してよい。
【００９６】
たとえば、少なくとも１つのＵＥの量が１つであれば、第３の要求は、ＰＲＡにセットされた特定のアクションおよび第３の情報にセットされたＰＲＡ情報を伴う認証許可要求（ＡＡＲ）メッセージでよい。ＡＡＲメッセージは、ＳＣＥＦエンティティからＲｘインターフェースを介してＰＣＲＦエンティティに送信されてよい。少なくとも１つのＵＥの量が２つ以上であれば、第３の要求は、ＰＲＡにセットされた監視タイプ、第３の情報にセットされたＰＲＡ情報、ならびに２つ以上のＵＥに関する外部グループ識別子を有する監視要求メッセージでよい。監視要求メッセージは、ＳＣＥＦエンティティから、Ｎｔインターフェースを介して、オペレータのネットワークにおける各ＰＣＲＦエンティティに送信されてよい。
【００９７】
ブロック６１０において、ＰＣＲＦエンティティは、ポリシーおよび課金強制ノードを介して、モビリティ管理ノードに、少なくとも１つのＵＥ向けの少なくとも１つのＰＲＡ報告をサブスクライブする。ポリシーおよび課金強制ノードは、たとえばＰＣＥＦエンティティまたはＰＣＥＦエンティティを含むＰＧＷでよい。たとえば、ＰＣＲＦは、ＰＲＡ報告のサブスクリプションのために、ＩＰ−接続性アクセスネットワーク（ＣＡＮ）セッションの変更手順を開始してよい。少なくとも１つのＵＥの量が２つ以上であれば、各ＰＣＲＦエンティティが、それ自体に関連した各ＵＥを見つけて、このＵＥに関する少なくとも１つのＰＲＡ報告をサブスクライブしてよい。たとえば、各ＰＣＲＦエンティティが、それ自体に関連した外部グループ識別子を有する各ＵＥを見つけてよい。次いで、ＰＣＲＦは、ＰＲＡ報告のサブスクリプションのために、確立されたＩＰ−ＣＡＮセッションを有する各ＵＥに対してＩＰ−ＣＡＮセッションの変更手順を開始してよい。ブロック６１２において、ＰＣＲＦエンティティは、モビリティ管理ノードからポリシーおよび課金強制ノードを介して第１の監視結果を受信する。たとえば、全体が参照によって本明細書で組み込まれている３ＧＰＰ  ＴＳ２９．２１２に規定されているように、ブロック６１０および６１２が実施されてよい。
【００９８】
ブロック６１４において、ＰＣＲＦエンティティは、ＳＣＥＦエンティティに第１の監視結果を送信する。対応して、ブロック６１６において、ＳＣＥＦエンティティはＰＣＲＦエンティティから第１の監視結果を受信する。少なくとも１つのＵＥの量が１つであれば、第１の監視結果は、ＰＲＡにセットされた特定のアクションおよび第１の監視結果にセットされたＰＲＡ状態を伴う再許可要求（ＲＡＲ）メッセージで送受信され得る。少なくとも１つのＵＥの量が２つ以上であれば、第１の監視結果は、第１の監視結果にセットされたＰＲＡ状態を有する監視指示メッセージで送受信され得る。
【００９９】
ブロック６１８において、ＳＣＥＦエンティティは、要求サーバに第１の監視結果を送信する。対応して、ブロック６２０において、要求サーバはＳＣＥＦエンティティから第１の監視結果を受信する。少なくとも１つのＵＥの量が１つであれば、第１の監視結果は、第１の監視結果にセットされたＰＲＡ状態を有する監視指示メッセージで送受信され得る。少なくとも１つのＵＥの量が２つ以上であれば、第１の監視結果は、第１の監視結果にセットされたＰＲＡ状態を有する監視指示メッセージで送受信され得る。
【０１００】
次いで、少なくとも１つの関心領域に対する少なくとも１つのＵＥの存在状態が変化したとき、モビリティ管理ノードは、この変化を検知して、更新された監視結果を、ポリシーおよび課金強制ノードを介してＰＣＲＦエンティティに送信する。対応して、ブロック６２２において、ＰＣＲＦはモビリティ管理ノードから更新された監視結果を受信する。
【０１０１】
ブロック６２４において、ＰＣＲＦエンティティは、ＳＣＥＦエンティティに、更新された監視結果を送信する。対応して、ブロック６２６において、ＳＣＥＦエンティティはＰＣＲＦエンティティから更新された監視結果を受信する。少なくとも１つのＵＥの量が１つであれば、更新された監視結果は、ＰＲＡにセットされた特定のアクションおよび更新された監視結果にセットされたＰＲＡ状態を伴うＲＡＲメッセージで送受信され得る。少なくとも１つのＵＥの量が２つ以上であれば、更新された監視結果は、更新された監視結果にセットされたＰＲＡ状態を有する監視指示メッセージで送受信され得る。
【０１０２】
ブロック６２８において、ＳＣＥＦエンティティは、要求サーバに、更新された監視結果を送信する。対応して、ブロック６３０において、要求サーバはＳＣＥＦエンティティから更新された監視結果を受信する。少なくとも１つのＵＥの量が１つであれば、更新された監視結果は、更新された監視結果にセットされたＰＲＡ状態を有する監視指示メッセージで送受信され得る。少なくとも１つのＵＥの量が２つ以上であれば、更新された監視結果は、更新された監視結果にセットされたＰＲＡ状態を有する監視指示メッセージで送信され得る。
【０１０３】
このようにして、ＰＲＡの機能性が、能力露出用にさらに使用されるように拡張され得る。ＰＲＡ能力露出、すなわちイベントの監視および報告は、自転車シェアサービスなどいくつかのサービスのためのロケーション追跡用の効率的かつ軽い解決策を提供する。これは、結果として、ネットワークリソースに対するコストおよびサービスオペレータのコストを下げることになる。
【０１０４】
図７は、本開示の別の実施形態による、ＰＣＲＦエンティティにおいて実施される方法を図示する流れ図である。ブロック７０２において、ＰＣＲＦエンティティは、ＳＣＥＦエンティティから、少なくとも１つのＵＥに関するＰＲＡの機能性を開始するための第３の要求を受信する。ＰＲＡの機能性は、この少なくとも１つのＵＥが少なくとも１つの関心領域内にあるかどうかを監視するために使用される。ブロック７０２はブロック６０８と同一でよい。ブロック７０４において、ＰＣＲＦエンティティは、モビリティ管理ノードから、ポリシーおよび課金強制ノードを介して、少なくとも１つのＵＥ向けの少なくとも１つの監視結果を取得する。ブロック７０４はブロック６１０、６１２および６２２として実施されてよい。ブロック７０６において、ＰＣＲＦエンティティは、ＳＣＥＦエンティティに少なくとも１つの監視結果を送信する。ブロック７０６はブロック６１４および６２４として実施されてよい。
【０１０５】
図８は、本開示の一実施形態による、ＳＣＥＦエンティティにおいて実施される方法を図示する流れ図である。ブロック８０２において、ＳＣＥＦエンティティは、要求サーバから、少なくとも１つのＵＥに関するＰＲＡの機能性を開始するための第１の要求を受信する。ＰＲＡの機能性は、この少なくとも１つのＵＥが少なくとも１つの関心領域内にあるかどうかを監視するために使用される。ブロック８０２はブロック２０４または６０４として実施されてよい。ブロック８０４において、ＳＣＥＦエンティティは、モビリティ管理ノードからＨＳＳまたはＰＣＲＦエンティティを介して、この少なくとも１つのＵＥに関する少なくとも１つの監視結果を取得する。ブロック８０４は、ブロック２０６、２２２および２３０、あるいはブロック６０６、６１６および６２６として実施されてよい。ブロック８０６において、ＳＣＥＦエンティティは、要求サーバに少なくとも１つの監視結果を送信する。ブロック８０６は、ブロック２２４および２３２、あるいはブロック６１８および６２８として実施されてよい。
【０１０６】
図９は、本開示の一実施形態による、要求サーバにおいて実施される方法を図示する流れ図である。ブロック９０２において、要求サーバは、ＳＣＥＦエンティティに、少なくとも１つのＵＥに関するＰＲＡの機能性を開始するための第１の要求を送信する。ＰＲＡの機能性は、この少なくとも１つのＵＥが少なくとも１つの関心領域内にあるかどうかを監視するために使用される。ブロック９０２はブロック２０２または６０２として実施されてよい。ブロック９０４において、要求サーバは、ＳＣＥＦエンティティからこの少なくとも１つのＵＥに関する少なくとも１つの監視結果を受信する。ブロック９０４は、ブロック２２６および２３４、あるいはブロック６２０および６３０として実施されてよい。
【０１０７】
図１０は、本開示の別の実施形態による例示的解決策を図示する流れ図である。この解決策は単一のＵＥ  ＰＲＡ露出に関するものである。この解決策では、要求サーバはＳＣＳまたはＡＳである。ポリシーおよび課金強制ノードはＰＣＥＦまたはＰＧＷである。ブロック１００２において、ＳＣＳ／ＡＳは、ＳＣＥＦに監視要求メッセージを送信する。監視要求メッセージにおける監視タイプはＰＲＡにセットされており、ＰＲＡ情報は監視要求メッセージに含まれる。ＰＲＡ情報は、関心領域（複数可）に関する情報を含む。
【０１０８】
ブロック１００４において、ＳＣＥＦは、オペレータポリシーに従って、ＨＳＳとＰＣＲＦのどちらを介して少なくとも１つの監視結果を取得するべきかを判定してよい。この例示的解決策では、オペレータポリシー（複数可）は、ＰＣＲＦを介して監視を遂行するように指示するものと想定されている。したがって、ＳＣＥＦはＰＣＲＦを選択する。
【０１０９】
ブロック１００６において、ＳＣＥＦは、Ｒｘインターフェースを介してＰＣＲＦにＡＡＲメッセージを送信するためのアプリケーション機能（ＡＦ）として働く。ＡＡＲメッセージでは、ＰＲＡが特定のアクションにセットされており、ＰＲＡ情報が含まれている。ＰＣＲＦは認証許可回答（ＡＡＡ）メッセージを用いて応える。ブロック１００８において、ＳＣＥＦはＳＣＳ／ＡＳに監視応答メッセージを送信する。
【０１１０】
ブロック１０１０において、ＰＣＲＦは、ＰＲＡ報告のサブスクリプションのためのＩＰ−ＣＡＮセッションの変更手順を開始する。ＰＲＡ報告は、ＭＭＥからＰＣＥＦ／ＰＧＷを介してＰＣＲＦに送信される。ブロック１０１２において、ＰＣＲＦはＳＥＣＦにＲＡＲメッセージを送信する。ＲＡＲメッセージでは、ＰＲＡが特定のアクションにセットされており、ＰＲＡ状態が含まれている。ＰＲＡ状態は、ＵＥが関心領域（複数可）の中にあるのか外にあるのかという状態報告を含む。ＳＣＥＦは再許可回答（ＲＡＡ）メッセージを用いて応える。ブロック１０１４において、ＳＣＥＦはＳＣＳ／ＡＳに監視指示メッセージを送信する。監視指示メッセージにはＰＲＡ状態が含まれている。ＳＣＳ／ＡＳは監視指示応答メッセージを用いて応える。
【０１１１】
ブロック１０１６においてＵＥのロケーションが変化し、それによりＰＲＡ状態が変化する。これに応答して、ＭＭＥは、ＰＣＲＦに、ＵＥに関する更新されたＰＲＡ状態を報告する。ブロック１０１８において、ＰＣＲＦは、ＳＣＥＦに、ＵＥに関する更新されたＰＲＡ状態を報告する。これはブロック１０１２に類似でよい。ブロック１０２０において、ＳＣＥＦは、ＳＣＳ／ＡＳに、ＵＥに関する更新されたＰＲＡ状態を報告する。これはブロック１０１４に類似でよい。
【０１１２】
図１１は、本開示の別の実施形態による例示的解決策を図示する流れ図である。この解決策はグループのＵＥのＰＲＡ露出に関するものである。ブロック１１０２において、ＳＣＳ／ＡＳは、ＳＣＥＦに監視要求メッセージを送信する。監視要求メッセージにおける監視タイプはＰＲＡにセットされており、ＰＲＡ情報は監視要求メッセージに含まれる。ＰＲＡ情報は、関心領域（複数可）に関する情報を含む。監視要求メッセージは、外部グループ識別子およびグループ報告ガードタイムをさらに含み得る。
【０１１３】
ブロック１１０４において、ＳＣＥＦは、オペレータポリシーに従って、ＨＳＳとＰＣＲＦのどちらを介して少なくとも１つの監視結果を取得するべきかを判定してよい。この例示的解決策では、オペレータポリシー（複数可）は、ＰＣＲＦを介して監視を遂行するように指示するものと想定されている。したがって、ＳＣＥＦは、オペレータのネットワークにおけるすべてのＰＣＲＦを選択する。
【０１１４】
ブロック１１０６において、ＳＣＥＦはオペレータのネットワークにおける各ＰＣＲＦに、Ｎｔインターフェースを通じて監視要求（外部グループ識別子、イベントタイプ：ＰＲＡ、ＰＲＡ情報）を送信する。ＰＣＲＦは監視応答メッセージを用いて応える。ブロック１１０８において、ＳＣＥＦはＳＣＳ／ＡＳに監視応答メッセージを送信する。
【０１１５】
ブロック１１１０において、各ＰＣＲＦはそれ自体に関連した外部グループ識別子を有する各ＵＥを見つける。次いで、ＰＣＲＦは、ＰＲＡ報告のサブスクリプションのために、確立されたＩＰ−ＣＡＮセッションを有する各ＵＥに対してＩＰ−ＣＡＮセッションの変更手順を開始する。ＰＲＡ報告は、ＭＭＥからＰＣＥＦ／ＰＧＷを介してＰＣＲＦに送信される。ブロック１１１２において、ＰＣＲＦはＳＣＥＦに監視指示（ＰＲＡ状態）を送信する。ＰＲＡ状態は、各ＵＥに送信され、各ＵＥが関心領域（複数可）の中にあるのか外にあるのかという状態報告を含む。ＰＣＲＦは、最後のＵＥに関する結果が送信された時刻をＳＣＥＦに指示してよい。ブロック１１１４において、ＳＣＥＦはＳＣＳ／ＡＳに監視指示（ＰＲＡ状態）を送信する。ＳＣＳ／ＡＳは監視指示応答を用いて応える。
【０１１６】
ブロック１１１６においてＵＥのロケーションが変化し、それによりＰＲＡ状態が変化する。これに応答して、ＭＭＥは、ＰＣＲＦに、ＵＥに関する更新されたＰＲＡ状態を報告する。ブロック１１１８において、ＰＣＲＦは、ＳＣＥＦに、ＵＥに関する更新されたＰＲＡ状態を報告する。これはブロック１１１２に類似でよい。ブロック１１２０において、ＳＣＥＦは、ＳＣＳ／ＡＳに、ＵＥに関する更新されたＰＲＡ状態を報告する。これはブロック１１１４に類似でよい。
【０１１７】
上記の説明によれば、現在の３ＧＰＰ技術仕様に対して以下の変更がなされ得る。これらの変更は説明のための単なる例示であることに留意されたい。
１．（ＳＣＳ／ＡＳとＳＣＥＦの間の）Ｔ８インターフェース：新規の監視タイプ：ＰＲＡはメッセージ「監視要求」における監視タイプに付加され、新規の情報要素（ＩＥ）「ＰＲＡ情報」がメッセージ「監視要求」に付加され、新規のＩＥ「ＰＲＡ状態」がメッセージ「監視応答」および「監視指示」に付加される。
２．（ＳＣＥＦとＰＣＲＦの間の）Ｎｔインターフェース：新規の監視タイプ：ＰＲＡはメッセージ「監視要求」における監視タイプに付加され、新規のＩＥ「ＰＲＡ情報」がメッセージ「監視要求」に付加され、新規のＩＥ「ＰＲＡ状態」がメッセージ「監視指示」に付加される。
３．（ＳＣＥＦとＰＣＲＦの間の）Ｒｘインターフェース：「ＰＲＡ」の新規の値は特定のアクションの属性値の対（ＡＶＰ）に付加され、新規のＡＶＰ「ＰＲＡ情報」がメッセージＡＡＲに付加され、新規のＡＶＰ「ＰＲＡ状態」がＲＡＲに付加される。
４．（ＳＣＥＦとＨＳＳの間の）Ｓ６ｔインターフェース：新規の監視タイプ：ＰＲＡはメッセージ「監視要求」における監視タイプに付加され、新規のＩＥ「ＰＲＡ情報」がメッセージ「監視要求」に付加され、新規のＩＥ「ＰＲＡ状態」がメッセージ「監視応答」に付加される。
５．（ＨＳＳとＭＭＥ／ＳＧＳＮの間の）Ｓ６ａ／ｄインターフェース：「ＰＲＡ」の新規のフラグは、メッセージ加入者データ挿入要求（ＩＤＲ）および更新ロケーション回答（ＵＬＡ）においてそれぞれＩＤＲ−フラグＡＶＰおよびＵＬＡ−フラグＡＶＰに付加され、新規のＡＶＰ「ＰＲＡ情報」がメッセージＩＤＲおよびＵＬＡに付加され、新規のＡＶＰ「ＰＲＡ状態」が加入者データ挿入回答（ＩＤＡ）に付加される。
６．（ＳＣＥＦとＭＭＥ／ＳＧＳＮの間の）Ｔ６ａ／ｂインターフェース：新規のＩＥ「ＰＲＡ状態」がメッセージ「監視指示」に付加される。
【０１１８】
図１２は、本開示のいくつかの実施形態を実施するために使用するのに適切な装置を示すブロック図である。たとえば、装置１２００によって、要求サーバ、ＳＣＥＦ、ＨＳＳ、モビリティ管理ノードおよび前述のＰＣＲＦエンティティのうちいずれか１つが実施され得る。示されるように、装置１２００は、プロセッサ１２１０と、プログラムを記憶する記憶装置１２２０と、有線通信および／または無線通信によって他の外部デバイスとデータを通信するための任意選択の通信インターフェース１２３０とを含み得る。
【０１１９】
プロセッサ１２１０がプログラムに含まれるプログラム命令を実行すると、装置１２００は、上記で議論されたように、本開示の実施形態による動作が可能になる。すなわち、本開示の実施形態は、プロセッサ１２１０によって実行可能なコンピュータソフトウェア、ハードウェア、またはソフトウェアとハードウェアの組合せによって、少なくとも部分的に実施され得る。
【０１２０】
記憶装置１２２０はローカルの技術的環境に適切な任意のタイプでよく、半導体ベース記憶デバイス、フラッシュメモリ、磁気的記憶デバイスおよびシステム、光学的記憶デバイスおよびシステム、固定記憶デバイスおよび取外し可能記憶デバイスなど、任意の適切なデータ記憶技術を使用して実施され得る。プロセッサ１２１０はローカルの技術的環境に適切な任意のタイプでよく、非限定的な例として、汎用コンピュータ、専用コンピュータ、マイクロプロセッサ、デジタル信号プロセッサ（ＤＳＰ）およびマルチコアプロセッサアーキテクチャに基づくプロセッサのうち１つまたは複数を含み得る。
【０１２１】
図１３は、本開示の一実施形態によるＳＣＥＦエンティティを示すブロック図である。示されるように、ＳＣＥＦエンティティ１３００は、受信モジュール１３０２、取得モジュール１３０４および送信モジュール１３０６を備え得る。受信モジュール１３０２は、要求サーバから、少なくとも１つのＵＥに関するＰＲＡの機能性を開始するための第１の要求を受信する（ブロック８０２）ように設定されてよい。ＰＲＡの機能性は、この少なくとも１つのＵＥが少なくとも１つの関心領域内にあるかどうかを監視するために使用される。取得モジュール１３０４は、モビリティ管理ノードからＨＳＳまたはＰＣＲＦエンティティを介して、この少なくとも１つのＵＥに関する少なくとも１つの監視結果を取得する（ブロック８０４）ように設定されてよい。送信モジュール１３０６は、要求サーバに、少なくとも１つの監視結果を送信する（ブロック８０６）ように設定されてよい。
【０１２２】
図１４は、本開示の一実施形態による要求サーバを示すブロック図である。示されるように、要求サーバ１４００は送信モジュール１４０２および受信モジュール１４０４を備え得る。送信モジュール１４０２は、ＳＣＥＦエンティティに、少なくとも１つのＵＥに関するＰＲＡの機能性を開始するための第１の要求を送信する（ブロック９０２）ように設定されてよい。ＰＲＡの機能性は、この少なくとも１つのＵＥが少なくとも１つの関心領域内にあるかどうかを監視するために使用される。受信モジュール１４０４は、ＳＣＥＦエンティティから、この少なくとも１つのＵＥに関する少なくとも１つの監視結果を受信する（ブロック９０４）ように設定されてよい。
【０１２３】
図１５は、本開示の一実施形態によるＨＳＳを示すブロック図である。示されるように、ＨＳＳ１５００は、受信モジュール１５０２、取得モジュール１５０４および送信モジュール１５０６を備え得る。受信モジュール１５０２は、ＳＣＥＦエンティティから、少なくとも１つのＵＥに関するＰＲＡの機能性を開始するための第２の要求を受信する（ブロック３０２）ように設定されてよい。ＰＲＡの機能性は、この少なくとも１つのＵＥが少なくとも１つの関心領域内にあるかどうかを監視するために使用される。取得モジュール１５０４は、モビリティ管理ノードから、この少なくとも１つのＵＥに関する少なくとも１つの監視結果を取得する（ブロック３０４）ように設定されてよい。送信モジュール１５０６は、ＳＣＥＦエンティティに、少なくとも１つの監視結果を送信する（ブロック３０６）ように設定されてよい。
【０１２４】
図１６は、本開示の一実施形態によるモビリティ管理ノードを示すブロック図である。示されるように、モビリティ管理ノード１６００は、受信モジュール１６０２、監視モジュール１６０４および送信モジュール１６０６を備え得る。受信モジュール１６０２は、ＨＳＳから、少なくとも１つのＵＥに関するＰＲＡの機能性を開始するための第４の要求を受信する（ブロック４０２）ように設定されてよい。ＰＲＡの機能性は、この少なくとも１つのＵＥが少なくとも１つの関心領域内にあるかどうかを監視するために使用される。監視モジュール１６０４は、この少なくとも１つのＵＥが少なくとも１つの関心領域内にあるかどうかを監視する（ブロック４０４）ように設定されてよい。送信モジュール１６０６は、ＳＣＥＦエンティティに、少なくとも１つの監視結果を、直接、またはＨＳＳを介して、送信する（ブロック４０６）ように設定されてよい。
【０１２５】
図１７は、本開示の一実施形態によるＰＣＲＦエンティティを示すブロック図である。示されるように、ＰＣＲＦエンティティ１７００は、受信モジュール１７０２、取得モジュール１７０４および送信モジュール１７０６を備え得る。受信モジュール１７０２は、ＳＣＥＦエンティティから、少なくとも１つのＵＥに関するＰＲＡの機能性を開始するための第３の要求を受信する（ブロック７０２）ように設定されてよい。ＰＲＡの機能性は、この少なくとも１つのＵＥが少なくとも１つの関心領域内にあるかどうかを監視するために使用される。取得モジュール１７０４は、モビリティ管理ノードから、ポリシーおよび課金強制ノードを介して、この少なくとも１つのＵＥに関する少なくとも１つの監視結果を取得する（ブロック７０４）ように設定されてよい。送信モジュール１７０６は、ＳＣＥＦエンティティに、少なくとも１つの監視結果を送信する（ブロック７０６）ように設定されてよい。
【０１２６】
一般に、様々な例示的実施形態は、ハードウェアもしくは専用回路、ソフトウェア、ロジックまたはこれらの任意の組合せで実施され得る。たとえば、いくつかの態様はハードウェアで実施され得、他の態様は、コントローラ、マイクロプロセッサまたは他のコンピューティングデバイスによって実行され得るファームウェアまたはソフトウェアで実施され得るが、本開示はこれらに限定されない。本開示の例示的実施形態の様々な態様が、ブロック図、流れ図、またはいくつかの他の図的表現を使用して図示され、説明され得るが、本明細書で説明されたこれらのブロック、装置、システム、技術または方法が、非限定的な例として、ハードウェア、ソフトウェア、ファームウェア、専用の回路もしくはロジック、汎用のハードウェアもしくはコントローラもしくは他のコンピューティングデバイス、またはこれらのうちいくつかの組合せとして実施され得ることが十分に理解される。
【０１２７】
そのため、本開示の例示的実施形態のうち少なくともいくつかの態様が、集積回路のチップおよびモジュールなどの様々な構成要素で実施され得ることを理解されたい。したがって、本開示の例示的実施形態は、本開示の例示的実施形態に従って動作するように設定可能なデータプロセッサ、デジタル信号プロセッサ、ベースバンドサーキットリおよび無線周波数サーキットリのうち少なくとも１つまたは複数を具現するためのサーキットリ（ならびに、場合によりファームウェア）を備え得る集積回路として具現される装置で実現され得ることを理解されたい。
【０１２８】
本開示の例示的実施形態の少なくともいくつかの態様は、１つまたは複数のコンピュータまたは他のデバイスによって実行される１つまたは複数のプログラムモジュールなどにおけるコンピュータ実行可能命令で具現され得ることを理解されたい。一般に、コンピュータまたは他のデバイスのプロセッサは、プログラムモジュールに含まれるルーチン、プログラム、オブジェクト、コンポーネント、データ構造などを実行することにより、特別なタスクを遂行するかまたは特別な抽象データタイプを実施する。コンピュータ実行可能命令は、ハードディスク、光ディスク、取外し可能記憶媒体、ソリッドステートメモリ、ＲＡＭなどのコンピュータ可読媒体に記憶され得る。当業者には理解されるように、プログラムモジュールの機能は、様々な実施形態で望まれるような組合せまたは分解が可能である。加えて、この機能の全体または一部は、集積回路、フィールドプログラマブルゲートアレイ（ＦＰＧＡ）等のファームウェアまたはハードウェアの等価物で具現され得る。
【０１２９】
本開示における「１つの実施形態（ｏｎｅ  ｅｍｂｏｄｉｍｅｎｔ）」、「一実施形態（ａｎ  ｅｍｂｏｄｉｍｅｎｔ）」などの参照は、説明された実施形態が、特別な特徴、構造または特性を含み得るが、すべての実施形態がそのような特別な特徴、構造または特性を含むとは限らないことを指示する。その上に、そのような慣用句は必ずしも同一の実施形態を参照しているわけではない。さらに、一実施形態に関連して特定の機能、構造、または特性が記述されたとき、他の実施形態に関連して、明示的に記述されたか否かにかかわらず、そのような機能、構造、または特性を実施することは当業者の知見の範囲内にあることが提示される。
【０１３０】
本明細書では、様々な要素を説明するために「第１の」、「第２の」などの用語が使用されることがあるが、これらの要素はこれらの用語によって限定されるべきではないことを理解されたい。これらの用語は、１つの要素を別のものと区別するためにのみ使用される。たとえば、本開示の範囲から逸脱することなく、第１の要素を第２の要素と名付けることができ、同様に第２の要素を第１の要素と名付けることができる。本明細書で使用されるように、「および／または」という用語は、関連する列記された用語のうち１つまたは複数の、あらゆる組合せを含む。
【０１３１】
本明細書で使用される専門用語は、特別な実施形態のみを説明するためのものであり、本開示を限定するようには意図されていない。本明細書で使用されるように、単数形「１つの（ａ）」、「１つの（ａｎ）」および「この（ｔｈｅ）」は、文脈がそうでないことを明白に示さない限り複数形も同様に含むことが意図されている。「備える（ｃｏｍｐｒｉｓｅｓ）」、「備える（ｃｏｍｐｒｉｓｉｎｇ）」、「有する（ｈａｓ）」、「有する（ｈａｖｉｎｇ）」、「含む（ｉｎｃｌｕｄｅｓ）」および／または「含む（ｉｎｃｌｕｄｉｎｇ）」といった用語は、本明細書で使用されたとき、明示された特徴、要素、および／または構成要素の存在を規定するが、１つまたは複数の他の特徴、要素、構成要素および／またはこれらの組合せの存在や付加を排除するものではないことがさらに理解されよう。本明細書で使用される「接続する（ｃｏｎｎｅｃｔｓ）」、「接続する（ｃｏｎｎｅｃｔｉｎｇ）」および／または「接続された（ｃｏｎｎｅｃｔｅｄ）」という用語は、２つの要素間の直接的かつ／または間接的接続を対象として含む。
【０１３２】
本開示は、本明細書で開示された任意の斬新な特徴または特徴の組合せを、明示的に、または何らかの一般化をして含む。当業者には、本開示の前述の例示的実施形態に対する様々な修正形態および改作が、前述の説明を考慮して、添付の図面とともに読み取られたとき、明らかになり得る。しかしながら、あらゆる修正形態が、依然として本開示の非限定的な例示の実施形態の範囲に含まれることになる。
【図１】
2021513246.tif 000003
【図２】
2021513246.tif 000004
【図３】
2021513246.tif 000005
【図４】
2021513246.tif 000006
【図５】
2021513246.tif 000007
【図６】
2021513246.tif 000008
【図７】
2021513246.tif 000009
【図８】
2021513246.tif 000010
【図９】
2021513246.tif 000011
【図１０】
2021513246.tif 000012
【図１１】
2021513246.tif 000013
【図１２】
2021513246.tif 000014
【図１３】
2021513246.tif 000015
【図１４】
2021513246.tif 000016
【図１５】
2021513246.tif 000017
【図１６】
2021513246.tif 000018
【図１７】
2021513246.tif 000019
【国際調査報告】
2021513246.tif 000020
2021513246.tif 000021